(57)【要約】      （修正有）【課題】アクセス端末は、１つまたは複数のワイヤレスセルに関連するワイヤレスセルセット（例えば、限定加入者グループ）の手動選択の結果としてワイヤレスネットワーク選択の異なるモードに切り換えることができる。【解決手段】アクセス端末のユーザが、現在のワイヤレスネットワークとは異なるワイヤレスネットワークの中の限定加入者グループを選択する場合、アクセス端末は、ワイヤレスネットワーク選択の手動モードに入り、限定加入者グループに対応するワイヤレスネットワークを選択し、そして選択されたワイヤレスネットワークの中の限定加入者グループセルの上で登録することができる。さらに、アクセス端末は、ワイヤレスセルセットの有効範囲を失うとすぐに、ワイヤレスネットワーク選択の異なるモード（例えば、先行モード）に自動的に切り換えることができる。【選択図】図１
2014078972.tif 000002
【特許請求の範囲】
【請求項１】
通信の方法であって、
アクセス端末によってキャンプするための、限定加入者グループのセルを選択することと、
前記アクセス端末が、もはや前記限定加入者グループの任意のセルの上でキャンプされていないことを決定することと、
前記アクセス端末が、もはや前記限定加入者グループの任意のセルの上でキャンプされていないという前記決定の後の定義された期間内に、前記アクセス端末が、前記セル、または前記別のセルのワイヤレスの有効範囲に戻ったことを決定することと、
前記アクセス端末が、前記ワイヤレスの有効範囲に戻ったという前記決定に基づいて、前記アクセス端末によってキャンプするための、前記限定加入者グループの前記セルまたは別のセルを選択することと
を備える方法。
【請求項２】
前記限定加入者グループは、第１のワイヤレスネットワークに関連づけられ、前記方法は、前記アクセス端末が、もはや前記限定加入者グループの任意のセルの上でキャンプされていないという前記決定に応じて第２のワイヤレスネットワークを選択すること、をさらに備える請求項１に記載の方法。
【請求項３】
前記決定に基づいた、前記セルまたは前記別のセルの前記選択は、前記第１のワイヤレスネットワークを再選択することを備える、請求項２に記載の方法。
【請求項４】
前記の第１および第２のワイヤレスネットワークは、第１および第２の公有地モバイルネットワークを備える、請求項２に記載の方法。
【請求項５】
前記アクセス端末によってキャンプするための、前記限定加入者グループの前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、請求項１に記載の方法。
【請求項６】
前記アクセス端末が、前記セルの上でキャンプされるときに、前記アクセス端末は、ワイヤレスネットワーク選択の第１のモードを使用し、
前記アクセス端末が、もはや前記限定加入者グループの任意のセルの上でキャンプされていない後に、前記アクセス端末は、ワイヤレスネットワーク選択の第２のモードに切り換え、そして
前記限定加入者グループの前記セルまたは前記別のセルの前記選択は、ワイヤレスネットワーク選択の前記第１のモードに戻ることを備える、請求項１に記載の方法。
【請求項７】
ワイヤレスネットワーク選択の前記第２のモードは、公有地モバイルネットワーク選択の自動モードを備える、請求項６に記載の方法。
【請求項８】
ワイヤレスネットワーク選択の前記第１のモードは、公有地モバイルネットワーク選択の手動モードを備える、請求項７に記載の方法。
【請求項９】
前記限定加入者グループが、選択のために好ましいことを指定すること、をさらに備え、前記アクセス端末によってキャンプするための、前記限定加入者グループの前記セルの前記選択は、前記指定に基づいている、請求項１に記載の方法。
【請求項１０】
通信のための装置であって、
アクセス端末によってキャンプするための、限定加入者グループのセルを選択するように構成されたセルセレクタと、
前記アクセス端末が、もはや前記限定加入者グループの任意のセルの上でキャンプされていないことを決定するように構成され、そしてさらに、前記アクセス端末が、もはや前記限定加入者グループの任意のセルの上にキャンプされていないという前記決定の後の定義された期間内に、前記アクセス端末が、前記セルまたは前記別のセルのワイヤレスの有効範囲に戻ったことを決定するように構成された通信コントローラと
を備え、前記セルセレクタは、さらに、前記アクセス端末が、前記ワイヤレスの有効範囲に戻ったという前記決定に基づいて、前記アクセス端末によってキャンプするための、前記限定加入者グループの前記セルまたは別のセルを選択するように構成されている、装置。
【請求項１１】
前記限定加入者グループは、第１のワイヤレスネットワークに関連づけられ、前記装置は、前記アクセス端末が、もはや前記限定加入者グループの任意のセルの上でキャンプされていないという前記決定に応じて第２のワイヤレスネットワークを選択するように構成されたネットワークセレクタ、をさらに備える請求項１０に記載の装置。
【請求項１２】
前記決定に基づいた、前記セルまたは前記別のセルの前記選択は、前記第１のワイヤレスネットワークを再選択することを備える、請求項１１に記載の装置。
【請求項１３】
前記アクセス端末によってキャンプするための、前記限定加入者グループの前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、請求項１０に記載の装置。
【請求項１４】
前記アクセス端末が、前記セルの上でキャンプされるときに、前記アクセス端末は、ワイヤレスネットワーク選択の第１のモードを使用し、
前記アクセス端末が、もはや前記限定加入者グループの任意のセルの上でキャンプされていない後に、前記アクセス端末は、ワイヤレスネットワーク選択の第２のモードに切り換え、そして
前記限定加入者グループの前記セルまたは前記別のセルの前記選択は、ワイヤレスネットワーク選択の前記第１のモードに戻ることを備える、請求項１０に記載の装置。
【請求項１５】
通信のための装置であって、
アクセス端末によってキャンプするための、限定加入者グループのセルを選択するための手段と、
前記アクセス端末が、もはや前記限定加入者グループの任意のセルの上でキャンプされていないことを決定するための手段と、
前記アクセス端末が、もはや前記限定加入者グループの任意のセルの上でキャンプされていないという前記決定の後の定義された期間内に、前記アクセス端末が、前記セル、または前記別のセルのワイヤレス有効範囲に戻ったことを決定するための手段と、
前記アクセス端末が、前記ワイヤレス有効範囲に戻ったという前記決定に基づいて、前記アクセス端末によってキャンプするための、前記限定加入者グループの前記セルまたは別のセルを選択するための手段と
を備える装置。
【請求項１６】
前記限定加入者グループは、第１のワイヤレスネットワークに関連づけられ、前記装置は、前記アクセス端末が、もはや前記限定加入者グループの任意のセルの上でキャンプされていないという前記決定に応じて第２のワイヤレスネットワークを選択するための手段をさらに備える請求項１５に記載の装置。
【請求項１７】
前記決定に基づいた、前記セルまたは前記別のセルの前記選択は、前記第１のワイヤレスネットワークを再選択することを備える、請求項１６に記載の装置。
【請求項１８】
前記アクセス端末によってキャンプするための、前記限定加入者グループの前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、請求項１５に記載の装置。
【請求項１９】
前記アクセス端末が、前記セルの上でキャンプされるときに、前記アクセス端末は、ワイヤレスネットワーク選択の第１のモードを使用し、
前記アクセス端末が、もはや前記限定加入者グループの任意のセルの上でキャンプされていない後に、前記アクセス端末は、ワイヤレスネットワーク選択の第２のモードに切り換え、そして
前記限定加入者グループの前記セルまたは前記別のセルの前記選択は、ワイヤレスネットワーク選択の前記第１のモードに戻ることを備える、請求項１５に記載の装置。
【請求項２０】
コンピュータに、
アクセス端末によってキャンプするための、限定加入者グループのセルを選択するように、
前記アクセス端末が、もはや前記限定加入者グループの任意のセルの上でキャンプされていないことを決定するように、
前記アクセス端末が、もはや前記限定加入者グループの任意のセルの上でキャンプされていないという前記決定の後の定義された期間内に、前記アクセス端末が、前記セル、または前記別のセルのワイヤレスの有効範囲に戻ったことを決定するように、そして
前記アクセス端末が、前記ワイヤレスの有効範囲に戻ったという前記決定に基づいて、前記アクセス端末によってキャンプするための、前記限定加入者グループの前記セルまたは別のセルを選択するように、
させるためのコードを備えるコンピュータ可読媒体、
を備えるコンピュータプログラム製品。
【請求項２１】
前記限定加入者グループは、第１のワイヤレスネットワークに関連づけられ、前記コンピュータ可読媒体は、前記コンピュータに、前記アクセス端末が、もはや前記限定加入者グループの任意のセルの上でキャンプされていないという前記決定に応じて第２のワイヤレスネットワークを選択するようにさせるためのコード、をさらに備える、請求項２０に記載のコンピュータプログラム製品。
【請求項２２】
前記決定に基づいた、前記セルまたは前記別のセルの前記選択は、前記第１のワイヤレスネットワークを再選択することを備える、請求項２１に記載のコンピュータプログラム製品。
【請求項２３】
前記アクセス端末によってキャンプするための、前記限定加入者グループの前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと、
を備える、請求項２０に記載のコンピュータプログラム製品。
【請求項２４】
前記アクセス端末が、前記セルの上でキャンプされるときに、前記アクセス端末は、ワイヤレスネットワーク選択の第１のモードを使用し、
前記アクセス端末が、もはや前記限定加入者グループの任意のセルの上でキャンプされていない後に、前記アクセス端末は、ワイヤレスネットワーク選択の第２のモードに切り換え、そして
前記限定加入者グループの前記セルまたは前記別のセルの前記選択は、ワイヤレスネットワーク選択の前記第１のモードに戻ることを備える、請求項２０に記載のコンピュータプログラム製品。
【請求項２５】
通信の方法であって、
現在のワイヤレスネットワークのレコードを保持することと、
限定加入者グループを公示するセルを選択することと、
前記選択されたセルに関連するワイヤレスネットワークを識別することと、
前記識別されたワイヤレスネットワークにおいて登録することと、
前記選択された限定加入者グループの前記セルまたは別のセルのワイヤレス有効範囲を離れるとすぐに前記レコードによって識別される前記ワイヤレスネットワークに戻ることと
を備える方法。
【請求項２６】
前記登録は、前記識別されたワイヤレスネットワークが、前記現在のワイヤレスネットワークとは異なるという決定の結果として実行される、請求項２５に記載の方法。
【請求項２７】
前記登録は、前記識別されたワイヤレスネットワークが、現在好ましいワイヤレスネットワークとは異なるという決定の結果として実行される、請求項２５に記載の方法。
【請求項２８】
前記識別されたワイヤレスネットワークは、公有地モバイルネットワークを備える、請求項２５に記載の方法。
【請求項２９】
前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、請求項２５に記載の方法。
【請求項３０】
前記レコードによって識別される前記ワイヤレスネットワークへの前記復帰は、前記セルが選択されたときに、手動公有地モバイルネットワーク選択状態が、使用中であったかどうかを前提とする、請求項２５に記載の方法。
【請求項３１】
前記セルまたは別のセルのワイヤレス有効範囲が、前記アクセス端末が前記ワイヤレス有効範囲を離れた後の定義された期間内に、入られる場合に、通信を確立するための、前記限定加入者グループの前記セルまたは前記別のセルを選択すること、をさらに備える請求項２５に記載の方法。
【請求項３２】
前記現在のワイヤレスネットワークは、ホームワイヤレスネットワークを備え、そして
前記識別されたワイヤレスネットワークは、訪問ワイヤレスネットワークを備える、請求項２５に記載の方法。
【請求項３３】
通信のための装置であって、
現在のワイヤレスネットワークのレコードを保持するように構成されたネットワークセレクタと、
限定加入者グループを公示するセルを選択するように構成されたセルセレクタと、
前記選択されたセルに関連するワイヤレスネットワークを識別するように構成され、そしてさらに前記識別されたワイヤレスネットワークにおいて登録するように構成された通信コントローラと
を備え、前記ネットワークセレクタは、さらに、前記選択された限定加入者グループの前記セルまたは別のセルのワイヤレス有効範囲を離れるとすぐに、前記レコードによって識別される前記ワイヤレスネットワークに戻るように構成されている、装置。
【請求項３４】
前記登録は、前記識別されたワイヤレスネットワークが、前記現在のワイヤレスネットワークとは異なるという決定の結果として実行される、請求項３３に記載の装置。
【請求項３５】
前記識別されたワイヤレスネットワークは、公有地モバイルネットワークを備える、請求項３３に記載の装置。
【請求項３６】
前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、請求項３３に記載の装置。
【請求項３７】
前記レコードによって識別される前記ワイヤレスネットワークへの前記復帰は、前記セルが選択されたときに、手動公有地モバイルネットワーク選択状態が、使用中であったかどうかを前提とする、請求項３３に記載の装置。
【請求項３８】
通信のための装置であって、
現在のワイヤレスネットワークのレコードを保持するための手段と、
限定加入者グループを公示するセルを選択するための手段と、
前記選択されたセルに関連するワイヤレスネットワークを識別するための手段と、
前記識別されたワイヤレスネットワークにおいて登録するための手段と、
前記選択された限定加入者グループの前記セルまたは別のセルのワイヤレス有効範囲を離れるとすぐに前記レコードによって識別される前記ワイヤレスネットワークに戻るための手段と
を備える装置。
【請求項３９】
前記登録は、前記識別されたワイヤレスネットワークが、前記現在のワイヤレスネットワークとは異なるという決定の結果として実行される、請求項３８に記載の装置。
【請求項４０】
前記識別されたワイヤレスネットワークは、公有地モバイルネットワークを備える、請求項３８に記載の装置。
【請求項４１】
前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、請求項３８に記載の装置。
【請求項４２】
前記レコードによって識別される前記ワイヤレスネットワークへの前記復帰は、前記セルが選択されたときに、手動公有地モバイルネットワーク選択状態が、使用中であったかどうかを前提とする、請求項３８に記載の装置。
【請求項４３】
コンピュータに、
現在のワイヤレスネットワークのレコードを保持するように、
限定加入者グループを公示するセルを選択するように、
前記選択されたセルに関連するワイヤレスネットワークを識別するように、
前記識別されたワイヤレスネットワークにおいて登録するように、そして
前記選択された限定加入者グループの前記セルまたは別のセルのワイヤレス有効範囲を離れるとすぐに前記レコードによって識別される前記ワイヤレスネットワークに戻るように、
させるためのコードを備えるコンピュータ可読媒体
を備えるコンピュータプログラムプロダクト。
【請求項４４】
前記登録は、前記識別されたワイヤレスネットワークが、前記現在のワイヤレスネットワークとは異なるという決定の結果として実行される、請求項４３に記載のコンピュータプログラムプロダクト。
【請求項４５】
前記識別されたワイヤレスネットワークは、公有地モバイルネットワークを備える、請求項４３に記載のコンピュータプログラムプロダクト。
【請求項４６】
前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、請求項４３に記載のコンピュータプログラムプロダクト。
【請求項４７】
前記レコードによって識別される前記ワイヤレスネットワークへの前記復帰は、前記セルが選択されたときに、手動公有地モバイルネットワーク選択状態が、使用中であったかどうかを前提とする、請求項４３に記載のコンピュータプログラムプロダクト。
【発明の詳細な説明】
【技術分野】
【０００１】
優先権の主張
本願は、それらのおのおのの開示がこれによりここにおいて参照によって組み込まれている、共同所有された、２００８年１１月３日に出願され、そして代理人ドケット番号０９０２７５Ｐ１を割り当てられた米国仮特許出願第６１／１１０，７３３号と、２００８年１１月１４日に出願され、そして代理人ドケット番号０９０２７５Ｐ２を割り当てられた米国仮特許出願第６１／１１４，９４３号と、２００８年１２月２３日に出願され、そして代理人ドケット番号０９０２７５Ｐ３を割り当てられた米国仮特許出願第６１／１４０，５８８号と、２００９年１月２６日に出願され、そして代理人アトーニィドケット番号０９０２７５Ｐ４を割り当てられた米国仮特許出願第６１／１４７，４１５号と、の利益と優先権とを主張するものである。
【０００２】
関連出願の相互参照
本願は、その開示が、これによりここにおいて参照によって組み込まれている、「ワイヤレスセルセットの選択に関連してワイヤレスネットワーク選択モードを切り換えること（ＳＷＩＴＣＩＮＧ  ＷＩＲＥＬＥＳＳ  ＮＥＴＷＯＲＫ  ＳＥＬＥＣＴＩＯＮ  ＭＯＤＥＳ  ＩＮ  ＣＯＮＪＵＮＣＴＩＯＮ  ＷＩＴＨ  ＳＥＬＥＣＴＩＯＮ  ＯＦ  Ａ  ＷＩＲＥＬＥＳＳ  ＣＥＬＬ  ＳＥＴ）」という名称の、そして代理人ドケット番号０９０２７５Ｕ１を割り当てられた、同時に出願され、そして共同所有された米国特許出願第    号に関連している。
【０００３】
技術分野
本願は、一般に、ワイヤレス通信に関し、そしてより詳細には、ただし排他的ではないが、ワイヤレスネットワーク選択に関する。
【背景技術】
【０００４】
序文
地理的地域は、モバイルセルラサービスを提供するオーバーラップした公有地モバイルネットワーク（ｐｕｂｌｉｃ  ｌａｎｄ  ｍｏｂｉｌｅ  ｎｅｔｗｏｒｋ：ＰＬＭＮ）によってサーブされることができる。例えば、異なるワイヤレスネットワークオペレータは、同じ都市全体を通して異なるＰＬＭＮを展開することができる。ある種の状況下では、与えられたアクセス端末（例えばセル電話）が、これらの異なるＰＬＭＮにアクセスすることが許可されることもある。したがって、そのようなアクセス端末は、与えられた時点においてどのＰＬＭＮが使用されるべきかを選択するように構成されていることができる。
【０００５】
いくつかの場合においては、アクセス端末は、ＰＬＭＮ選択の自動モードを使用することができる。ここで、アクセス端末は、使用可能なＰＬＭＮを絶えず監視し、そして指定された選択判断基準に基づいて新しいＰＬＭＮに自動的に切り換えることができる。典型的な場合には、選択判断基準は、アクセス端末が、複数のＰＬＭＮが使用可能である場合にＰＬＭＮを選択すべき順序を示すＰＬＭＮの優先リストを備える。他のタイプの選択判断基準が、同様に使用されることもある。例えば、優先順位は、アクセス端末について最善のサービス品質を現在提供することになるＰＬＭＮに対して与えられることができる。
【０００６】
いくつかの場合においては、アクセス端末は、ＰＬＭＮ選択の手動モードを使用することができる。例えば、現在使用可能なＰＬＭＮのリストが、アクセス端末の画面上に表示されることができる。次いで、ユーザは、ＰＬＭＮのうちの１つを選択することができ、そしてアクセス端末は、そのＰＬＭＮへと切り換える。自動ＰＬＭＮ選択モードと対照的に、この場合においては、アクセス端末は、たとえ他のより高い優先順位のＰＬＭＮが使用可能であるとしても、このＰＬＭＮ上に留まることになる。例えば、アクセス端末は、異なるＰＬＭＮが、手動的に選択されるまで、あるいは選択されたＰＬＭＮが、もはやアクセス端末に対してサービスを提供しなくなるまで、選択されたＰＬＭＮ上に留まることができる。
【０００７】
アクセス端末はまた、ユーザが、１つまたは複数のワイヤレスセル（例えば、少なくとも１つのアクセスポイント）に関連する限定加入者グループ（ｃｌｏｓｅｄ  ｓｕｂｓｃｒｉｂｅｒ  ｇｒｏｕｐ：ＣＳＧ）を手動的に選択することを可能にするように構成されていることができる。選択されたＣＳＧが、現在のＰＬＭＮとは異なるＰＬＭＮの中にある場合には、ＰＬＭＮ選択プロシージャは、ＣＳＧの選択に応じて呼び出されることができる。そのような場合には、ＰＬＭＮ選択プロシージャは、望ましい結果を提供しないこともある。
【０００８】
例えば、自動ＰＬＭＮ選択モードで動作するアクセス端末は、選択されたＣＳＧの上にキャンプされたままであることができないこともある。自動ＰＬＭＮ選択モードが、指定された選択判断基準に基づいて別のＰＬＭＮに自動的に切り換える（例えば、バックグラウンド探索プロシージャが、より高い優先順位のＰＬＭＮを検出する場合）ことができるので、これは、そうである可能性がある。
【０００９】
さらに、手動ＰＬＭＮ選択モードで動作するアクセス端末は、アクセス端末が、選択されたＣＳＧセルの有効範囲エリアを離れた後でさえ、新しいサービングＰＬＭＮ上に留まろうと試みることができる。適切なセルが、そのＰＬＭＮの上にアクセス端末について見出されない（例えば、アクセス端末が、選択されたＣＳＧのセル以外の任意のセルにアクセスすることを許可されない）場合に、ユーザは、サービスがなくなるであろう。その結果として、ユーザの対話が、別のＰＬＭＮを選択するために必要とされることになる。
【発明の概要】
【００１０】
本開示の実例の態様の概要が、続いている。ここにおける考察においては、用語態様に対する言及は、本開示の１つまたは複数の態様を意味することもある。
【００１１】
本開示は、いくつかの態様においては、１つまたは複数のワイヤレスセルに関連するワイヤレスセルセット（ｗｉｒｅｌｅｓｓ  ｓｅｌｌ  ｓｅｔ）（例えば、ＣＳＧ）の手動選択の結果としてワイヤレスネットワーク（例えば、ＰＬＭＮ）選択の異なるモードに切り換えることに関する。例えば、ＣＳＧを公示するセルの手動選択のすぐ後に、選択されたセルに関連するワイヤレスネットワークが、現在登録されたワイヤレスネットワーク、または現在好ましいワイヤレスネットワークと異なる場合に、アクセス端末は、ワイヤレスネットワーク選択の異なるモードに切り換えることができる。特定の例として、アクセス端末のユーザが、現在のＰＬＭＮとは異なるＰＬＭＮの中でＣＳＧを選択する場合、アクセス端末は、現在のＰＬＭＮのレコードと、ＰＬＭＮ選択の現在のモードのレコードとを保持し、そしてＰＬＭＮ選択の手動モードに入ることができる。次いで、アクセス端末は、ＣＳＧに対応するＰＬＭＮを選択し、そしてそのＰＬＭＮの中のＣＳＧセルに登録することができる。このようにして、アクセス端末が、ある後の時点まで（例えば、何らかの他のトリガに応じて）ＰＬＭＮ選択の自動モードで動作していないことになるので、アクセス端末は、選択されたＰＬＭＮ上に留まる可能性がより高い可能性がある。
【００１２】
本開示は、いくつかの態様においては、ワイヤレスセルセットの有効範囲を失うとすぐに、ワイヤレスネットワーク選択の異なるモードに切り換えることに関する。例えば、アクセス端末が、もはやアクセス端末によって手動的に選択されたＣＳＧのセルの上にキャンプされていないことを決定するとすぐに、アクセス端末は、ワイヤレスネットワーク選択の異なるモード（例えば、ＣＳＧ上にキャンプすることに先立って使用されたモード）に切り換えることができる。このようにして、アクセス端末は、ＣＳＧの有効範囲を離れるとすぐに、結局は、より適切なネットワークを選択することになる可能性が高いこともある。
【００１３】
本開示は、いくつかの態様においては、アクセス端末が、セルセット（ｃｅｌｌ  ｓｅｔ）の有効範囲を失った後の定義された期間内にセルセットのうちのセルに戻る場合に、ワイヤレスセルセットのうちのセルを自動的に選択することに関する。例えば、タイマーは、アクセス端末が、もはやアクセス端末によって手動的に選択されたＣＳＧのセルの上にキャンプされていないことを決定するとすぐに開始されることができる。アクセス端末が、定義された期間内にＣＳＧのセルに戻る場合に、セルは、アクセス端末によってキャンプするために自動的に（例えば、ユーザの対話なしに）選択されることができる。このようにして、アクセス端末は、アクセス端末がＣＳＧの有効範囲を短い間失う場合に、ＣＳＧに対するアクセスをシームレスに回復することができる。
【００１４】
本開示は、いくつかの態様においては、ワイヤレスセルセットの有効範囲を失うとすぐに、以前のワイヤレスネットワークに戻ることに関する。例えば、アクセス端末が、もはやアクセス端末によって手動的に選択されたＣＳＧのセルの上にキャンプされていないことを決定するとすぐに、アクセス端末は、ＣＳＧ上にキャンプすることに先立ってアクセス端末がその上にあったＰＬＭＮに自動的に戻ることができる。
【図面の簡単な説明】
【００１５】
【図１】図１は、セルセット（例えば、ＣＳＧ）の手動選択に関連して、ワイヤレスネットワーク選択のモードと、ワイヤレスネットワークとを切り換えるように適合された通信システムのいくつかの実例の態様についての簡略化されたブロック図である。
【図２】図２は、セルセットの手動選択に関連して、ワイヤレスネットワーク選択モードと、ワイヤレスネットワークとを切り換えるために実行され得る動作のいくつかの実例の態様についてのフローチャートである。
【図３】図３は、異なるワイヤレスネットワークの上のセルセットの手動選択のすぐ後に、かつ／またはセルセットの上にキャンプすることを停止するとすぐに、異なるワイヤレスネットワーク選択モードに切り換えることに関連して実行され得る動作のいくつかの実例の態様についてのフローチャートである。
【図４】図４は、異なるワイヤレスネットワークの上のセルセットの手動選択を実行することと、異なるワイヤレスネットワーク選択モードに切り換えることとに関連して使用され得る実例の非アクセス層およびアクセス層の呼出しフローを示す簡略化された図である。
【図５】図５は、アクセス端末が、定義された期間内にセルセットに戻る場合に、セルセットを自動的に再選択することに関連して実行され得る動作のいくつかの実例の態様についてのフローチャートである。
【図６】図６は、セルセットの有効範囲を離れるとすぐにワイヤレスネットワークに自動的に戻ることに関連して実行され得る動作のいくつかの実例の態様についてのフローチャートである。
【図７】図７は、通信ノードの中で使用され得るコンポーネントのいくつかの実例の態様についての簡略化されたブロック図である。
【図８】図８は、ワイヤレス通信システムについての簡略化された図である。
【図９】図９は、フェムトノードを含むワイヤレス通信システムについての簡略化された図である。
【図１０】図１０は、ワイヤレス通信のための有効範囲エリアを示す簡略化された図である。
【図１１】図１１は、通信コンポーネントのいくつかの実例の態様についての簡略化されたブロック図である。
【図１２】図１２は、ここにおいて教示されるようなワイヤレスネットワーク選択モードおよび／またはワイヤレスネットワークの切換えを提供するように構成された装置の実例の態様についての簡略化されたブロック図である。
【図１３】図１３は、ここにおいて教示されるようなワイヤレスネットワーク選択モードおよび／またはワイヤレスネットワークの切換えを提供するように構成された装置の実例の態様についての簡略化されたブロック図である。
【図１４】図１４は、ここにおいて教示されるようなワイヤレスネットワーク選択モードおよび／またはワイヤレスネットワークの切換えを提供するように構成された装置の実例の態様についての簡略化されたブロック図である。
【図１５】図１５は、ここにおいて教示されるようなワイヤレスネットワーク選択モードおよび／またはワイヤレスネットワークの切換えを提供するように構成された装置の実例の態様についての簡略化されたブロック図である。
【詳細な説明】
【００１６】
本開示のこれらおよび他の実例の態様は、以下に続く詳細な説明と、添付の特許請求の範囲との中で、そして添付図面の中で説明されるであろう。
【００１７】
慣行に従って、図面の中に示される様々な特徴は、縮尺して描かれないこともある。したがって、様々な特徴の寸法は、明確にするために任意に拡大され、または縮小されることもある。さらに、図面のうちのいくつかは、明確にするために簡略化されることもある。それ故に、図面は、与えられた装置（例えば、デバイス）または方法のコンポーネントのすべてを示さないこともある。最後に、同様な参照数字は、明細書と図面との全体を通して同様な特徴を示すために使用されることができる。
【００１８】
本開示の様々な態様が、以下で説明される。ここにおける教示は、多種多様な形態で実施されることができることと、ここにおいて開示される任意の特定の構造、機能、または両方は、単に代表的なものにすぎないこととは、明らかなはずである。ここにおける教示に基づいて、当業者は、ここにおいて開示される一態様が、他の任意の態様とは独立にインプリメントされることができることと、これらの態様のうちの２つ以上は、様々なやり方で組み合わされることができることとを理解すべきである。例えば、ここにおいて説明される任意の数の態様を使用して、装置は、インプリメントされることができ、あるいは方法は、実行されることができる。さらに、ここにおいて説明される１つまたは複数の態様に追加した、またはそれ以外の他の構造、機能、または構造および機能を使用して、そのような装置は、インプリメントされることもでき、あるいはそのような方法は、実行されることもできる。さらに、一態様は、請求項の少なくとも１つの要素を備えることができる。
【００１９】
図１は、実例の通信システム１００（例えば、通信ネットワークの一部分）のいくつかのノードを示している。例証の目的のために、本開示の様々な態様は、互いに通信する１つまたは複数のアクセス端末と、アクセスポイントと、ネットワークノードとの関連において説明されることになる。しかしながら、ここにおける教示は、他の専門用語を使用して言及される他のタイプの装置、または他の類似した装置に対して適用可能とすることができることを理解すべきである。例えば、様々なインプリメンテーションにおいては、アクセスポイントは、基地局またはｅＮｏｄｅＢとして称され、またはインプリメントされることができ、アクセス端末は、ユーザ装置またはモバイルとして称され、またはインプリメントされることができ、その他いろいろである。
【００２０】
システム１００の中のアクセスポイントは、システム１００の有効範囲エリアの中にインストールされることができ、または有効範囲エリア全体を通してローミングすることができる１つまたは複数のワイヤレス端末のために１つまたは複数のサービス（例えば、ネットワーク接続性）を提供する。例えば、様々な時点において、アクセス端末１０２は、アクセスポイント１０４、アクセスポイント１０６、または何らかの他のアクセスポイント（図示されず）に接続することができる。システム１００の中の各アクセスポイントは、広域ネットワーク接続性を容易にするために１つまたは複数のネットワークエンティティ（便宜上、ネットワークノード１０８および１１０によって表される）と通信することができる。これらのネットワークエンティティは、例えば、１つまたは複数の無線および／またはコアのネットワークエンティティなど、様々な形態を取ることができる。したがって、様々なインプリメンテーションにおいては、ネットワークノード１０８および１１０は、モビリティ管理、ネットワーク管理（例えば、動作、統治、管理、およびプロビジョニングのエンティティを経由した）、呼出し制御、セッション管理、ゲートウェイ機能、相互作用機能、または何らかの他の適切なネットワーク機能のうちの少なくとも１つなどの機能を表すことができる。
【００２１】
アクセス端末１０２は、アクセス端末のユーザが、ワイヤレスセルセットを手動的に選択することを可能にする機能（手動セルセットセレクタ１１２によって表される）を含んでいる。一般に、ワイヤレスセルセットは、１つまたは複数のセルの組（例えば、少なくとも１つのアクセスポイント）を備え、ここでは、その組に特有の定義された関係が存在する。ワイヤレスセルセットの一例は、ＣＳＧ（以下でより詳細に説明される）である。便宜上、以下に続く考察は、より一般的な用語ワイヤレスセルセットではなくて用語ＣＳＧを単に意味することもある。しかしながら、説明された概念は、ワイヤレスセルの他のタイプの定義された組またはグループ、あるいは他の類似したエンティティに対しても適用可能とすることができることを理解すべきである。
【００２２】
ワイヤレスネットワーク（例えば、ＰＬＭＮ）選択を容易にするために、アクセス端末１０２は、異なるネットワークにおけるＣＳＧの手動選択に応じて、ワイヤレスネットワーク選択の異なるモードに切り換えることができるワイヤレスネットワーク選択モードスイッチ１１４を含んでいる。ここで、ワイヤレスネットワーク選択の異なるモードは、様々なやり方で定義されることができる。いくつかのインプリメンテーションにおいては、ワイヤレスネットワーク選択の自動モードと手動モードとが、定義されることができる。いくつかのインプリメンテーションにおいては、１つのモードは、アクセス端末が、マクロセル上にキャンプしているときに使用されるように定義されることができるが、別のモードは、アクセス端末が、ＣＳＧセル上にキャンプしているときに使用されるように定義されることができる。他のタイプのモードが、他のインプリメンテーションにおいて使用されることもある。図１の例においては、アクセスポイント１０４は、アクセス端末１０２についてのホームワイヤレスネットワーク（例えば、ホームＰＬＭＮ）のセルを備えることができるが、アクセスポイント１０６は、訪問ワイヤレスネットワーク（例えば、訪問ＰＬＭＮ）のＣＳＧセルを備えることができる。アクセス端末１０２が、ＣＳＧの手動選択に先立ってワイヤレスネットワーク選択の自動モードにあった場合、スイッチ１１４は、ワイヤレスネットワーク選択の非自動モード（例えば、手動モード）に自動的に切り換えることができる。このようにして、たとえ他のより高い優先順位のワイヤレスネットワークが、アクセス端末１０２をサーブすることが可能であるとしても、アクセス端末１０２は、選択されたＣＳＧ上にキャンプされたままである可能性がある。
【００２３】
アクセス端末１０２はまた、ネットワーク選択プロシージャについての状態情報を記憶するためのデータレコード１１６（すなわち、データメモリ）を含んでいる。例えば、以前に使用されたワイヤレスネットワーク選択モード（先行選択モード１１８）のレコードが、保持されることができ、その結果、アクセス端末が、選択されたＣＳＧのワイヤレス有効範囲を失う（例えば、離れる）場合に、スイッチ１１４は、ワイヤレスネットワーク選択の以前のモードに自動的に切り換えて戻すことができるようになる。同様に、以前に使用されたワイヤレスネットワーク（先行ワイヤレスネットワーク１２０）のレコードが、保持されることができ、その結果、アクセス端末が、選択されたＣＳＧのワイヤレス有効範囲を失う（例えば、離れる）場合に、アクセス端末１０２は、先行ワイヤレスネットワークに自動的に切り換えて戻ることができるようになる。
【００２４】
システム１００の実例の動作が、次に図２のフローチャートに関連して、より詳細に説明されるであろう。便宜上、図２の動作（またはここにおいて考察され、または教示される他の任意の動作）は、特定のコンポーネントによって実行されるように説明されることもできる。しかしながら、これらの動作は、他のタイプのコンポーネントによって実行されることができ、そして異なる数のコンポーネントを使用して実行されることができることを理解すべきである。ここにおいて説明される１つまたは複数の動作は、与えられたインプリメンテーションにおいて使用されなくてもよいことも理解すべきである。
【００２５】
ブロック２０２によって表されるように、いくつかのインプリメンテーションにおいては、１つまたは複数のセルセット（例えば、ＣＳＧ）は、アクセス端末についての選択のために好ましいものとして指定されることができる。例えば、ユーザは、ＣＳＧが使用可能である場合に、ある種のＣＳＧにアクセスすることを好む可能性がある。したがって、この好ましいＣＳＧのレコードは、アクセス端末が、そのＣＳＧの有効範囲に入る場合に、そのＣＳＧを選択することを容易にするために、アクセス端末上に保持されることができる。
【００２６】
ブロック２０４によって表されるように、様々な時点において、アクセス端末は、アイドルモード動作中にワイヤレスネットワーク選択の第１のモード（例えば、自動モードまたはマクロセル特有のモード）を利用することができる。例えば、アクセス端末は、ワイヤレスネットワーク選択の自動モードで動作することができ、それによってアクセス端末は、反復ベースで（例えば、ＰＬＭＮを探索するバックグラウンドプロシージャの動作によって）最善の使用可能なワイヤレスネットワークを自動的に選択する。そのような選択プロシージャは、１つまたは複数の好ましいワイヤレスネットワークを指定するリスト（例えば、ＰＬＭＮを優先順序でランク付けする優先リスト）を使用することができる。したがって、アクセス端末が、より高い優先順位のワイヤレスネットワークを検出するときはいつでも、アクセス端末は、そのネットワークを自動的に選択することができる。典型的な場合には、ユーザのホームワイヤレスネットワークは、最高の優先順位を割り当てられる（好ましいワイヤレスネットワークであるとして指定される）こともあるが、ユーザがアクセスすることが認可される他のワイヤレスネットワークは、より低い優先順位を有することもある。
【００２７】
アクセス端末は、ワイヤレスネットワーク選択の現在のモードのレコードを保持することができる。上記で述べられるように、このレコードは、ある後の時点においてこのモードに効率的に切り換えて戻すことを容易にするために使用されることができる。
【００２８】
ブロック２０６によって表されるように、ある時点において、アクセス端末のユーザは、異なるワイヤレスネットワーク上にあるＣＳＧを手動的に選択することができる。例えば、ユーザは、手動ＣＳＧ選択モードをアクティブにするためにアクセス端末のユーザ入力デバイスを使用することができる。ユーザは、例えば、ＣＳＧによって固有に提供されるサービスを得るためにＣＳＧを手動的に選択したいと望むこともある。例えば、ＣＳＧは、顧客のために無料の有効範囲を提供するために、または料金ベースで有効範囲を提供するために、サードパーティ（例えば、小売業者）によって展開されることができる。
【００２９】
このモードのアクティブ化のすぐ後に、次いで、アクセス端末は、少なくとも１つのＣＳＧを公示する使用可能なセルをスキャンすることができる。例えば、アクセス端末は、近隣のアクセスポイントからの信号を監視し、そしてこれらのアクセスポイントのうちのどれかが、アクセスポイントが１つまたは複数のＣＳＧに関連づけられることを示す信号をブロードキャストしているかどうかを決定することができる。
【００３０】
１つまたは複数のＣＳＧに関連する１つまたは複数のセルを識別するとすぐに、アクセス端末は、アクセス端末のディスプレイデバイス上に対応するリストを表示することができる。いくつかの態様においては、このリストは、少なくとも１つのＣＳＧを公示する使用可能な任意のセルに対応する少なくとも１つの識別子を備えることができる。例えば、検出された各ＣＳＧでは、リストは、ＣＳＧの識別子、ＣＳＧを公示するセルの識別子、またはＣＳＧを公示するセルのワイヤレスネットワーク（例えば、ＰＬＭＮ）の識別子のうちの１つまたは複数を備えることができる。複数のセルが同じＣＳＧを公示している場合には、アクセス端末は、これらのセルの全部、またはこれらのセルの一部（例えば、アクセス端末における最高受信信号強度に関連するセル）をリストアップすることができる。
【００３１】
次いで、ユーザは、リストから項目のうちの１つ（例えば、ＣＳＧのうちの１つ）を選択するためにユーザ入力デバイスを使用することができる。それに応じて、アクセス端末は、ユーザ入力デバイスからの指示に基づいて使用可能なセルのうちの１つを選択することができる。例えば、ユーザによって選択されるＣＳＧを公示するただ１つのセルが存在する場合、アクセス端末は、そのセルを選択する（例えば、アクセス端末によるキャンプするためのセルを選択する）ことになる。ユーザによって選択されるＣＳＧを公示する複数のセルが存在する場合、アクセス端末は、最高受信信号強度、アクセス端末のための最高のサービス品質、または何らかの他の望ましい属性を提供するセルのその組からセルを選択することができる。上記で論じられるように、いくつかの場合には、ＣＳＧは、選択のために好ましいとして指定されることができる。そのような場合には、セルの選択は、この指定に基づいたものとすることができる。
【００３２】
ブロック２０８によって表されるように、異なるワイヤレスネットワークの上でのＣＳＧの手動選択の結果として、アクセス端末は、ワイヤレスネットワーク選択の異なるモード（例えば、手動モードまたはＣＳＧセル特有のモード）に切り換えることができる。例えば、アクセス端末は、ワイヤレスネットワーク選択の非自動（例えば、手動）モードに切り換えることができる。このようにして、ＣＳＧセルのワイヤレスネットワークの選択（これは、ＣＳＧの手動選択に由来する）は、アクセス端末がワイヤレスネットワーク選択の自動モードに留まった場合に起こり得るように後で無効にされないことになる。
【００３３】
ブロック２１０によって表されるように、ブロック２０６におけるセルの選択に関連して、アクセス端末は、選択されたセルの上にキャンプする。いくつかの態様においては、セルの上にキャンプすることは、セルからページを受信すること、セルとの通信を確立すること、またはセルからのブロードキャスト伝送を復号すること、のうちの１つまたは複数を備えることができる。
【００３４】
ブロック２１２によって表されるように、ある時点において、アクセス端末は、それが、もはやＣＳＧからサービスを受信していないことを（例えば、アクセス端末が、もはやＣＳＧのどのセルの上にもキャンプしていないことを決定することにより）決定することができる。ここで、サービスは、例えば、アクセス端末がＣＳＧを公示するセル（単数または複数）のサービスエリアの外へ移動すること、アクセス端末がサービスの喪失を引き起こす干渉を受けていること、またはアクセス端末が何らかの他の理由のためにサービスを失うこと、に起因して失われてしまう可能性がある。
【００３５】
ブロック２１４によって表されるように、アクセス端末が、もはやＣＳＧからサービスを受信していないことを決定するとすぐに、アクセス端末は、ワイヤレスネットワーク選択のそのモードを（例えば、ユーザによるアクションを必要とせずに）自動的に切り換えることができる。例えば、アクセス端末は、ブロック２０４において保持されるレコードによって指定される動作のモード（例えば、ＰＬＭＮ選択の自動モード）に切り換えて戻すことができる。上記で論じられるように、これは、ＣＳＧの手動選択の直前に使用されていた動作のモードに対応することができる。
【００３６】
このようにしてワイヤレスネットワーク選択の先行モードに自動的に切り換えることにより、アクセス端末は、例えば、サービスが使用可能でなかったワイヤレスネットワーク（例えば、訪問ＰＬＭＮ）上に留まることを回避し、あるいは有効範囲の喪失を防止するためにユーザの介入を必要とすることを回避することができる。例えば、いくつかの場合には、ワイヤレスネットワークは、アクセス端末が、ＣＳＧのセルにはアクセスすることを可能にするが、そのワイヤレスネットワーク上の他のセルにはアクセスすることが可能でないようにすることができる。これらの場合には、ＣＳＧの有効範囲を離れるとすぐに、アクセス端末は、それが、ワイヤレスネットワーク選択の手動モードに留まっている（例えば、アクセス端末が、選択されたワイヤレスネットワーク上に留まることになる）場合に、有効範囲から外れてしまう可能性がある。この問題は、別のワイヤレスネットワークを選択するようにユーザに自動的に要求することにより対処される可能性があるが、ここにおける教示は、ユーザの介入を必要とせずに有効範囲を維持するために有利に使用されることができる。
【００３７】
ブロック２１６によって表されるように、アクセス端末が、定義された期間内にＣＳＧのワイヤレス有効範囲に戻る場合に、アクセス端末は、ＣＳＧのセルを自動的に選択するように構成されていることができる。例えば、アクセス端末が、ブロック２１２の決定後の定義された期間内にＣＳＧを公示するセルのワイヤレス有効範囲に入る場合、アクセス端末は、そのセルを自動的に選択し、そしてそのセルの上にキャンプすることを開始することができる。したがって、アクセス端末が、一時的にＣＳＧサービスを失う場合には、サービスは、ユーザの介入を必要とせずに再獲得されることができる。
【００３８】
上記のプロシージャの実例のインプリメンテーションが、次に図３〜７を参照して説明されることになる。図３および４は、ワイヤレスネットワーク選択、または選択モードの切換えに関連して実行され得る実例の動作を説明している。図５は、定義された期間内にＣＳＧに戻ることに関連して実行され得る実例の動作を説明している。図６は、先行ワイヤレスネットワークに戻ることに関連して実行され得る実例の動作を説明している。図７は、ここにおいて教示される動作を実行するために使用され得る実例の機能コンポーネントを説明している。
【００３９】
図３のブロック３０２によって表されるように、アクセス端末は、ワイヤレスネットワーク選択の現在のモードのレコードを保持する。したがって、通常の動作中に、アクセス端末が、その選択モードを切り換えるときはいつでも、レコードは、アップデートされる。上記で述べられるように、アクセス端末は、通常、ワイヤレスネットワーク選択の自動モード（またはマクロセル特有のモード）で動作することができる。
【００４０】
ブロック３０４によって表されるように、ある時点において、アクセス端末は、ＣＳＧを公示するセルを選択する。これらの動作は、例えば、ブロック２０６において上記で説明される動作に対応する可能性がある。
【００４１】
ブロック３０６によって表されるように、アクセス端末は、選択されたセルに関連するワイヤレスネットワークを識別する。例えば、アクセス端末は、どのＰＬＭＮ上に選択されたセルがあるかを決定することができる。いくつかの場合には、識別されたネットワークは、アクセス端末の観点から訪問ネットワークであるように考えられることもある。例えば、選択されたセルは、現在登録されたワイヤレスネットワーク（すなわち、アクセス端末が、現在登録されているワイヤレスネットワーク）とは異なるワイヤレスネットワークの上にある可能性がある。また、アクセス端末が、現在どのようなワイヤレスネットワークの上でも登録されていない場合には、選択されたセルは、現在の好ましいワイヤレスネットワーク（例えば、ユーザのホームワイヤレスネットワーク）とは異なるワイヤレスネットワークの上にある可能性がある。
【００４２】
ブロック３０８によって表されるように、アクセス端末は、ブロック３０６におけるワイヤレスネットワークの識別の結果として、ワイヤレスネットワーク選択の現在のモードからワイヤレスネットワーク選択の異なるモードへと切り換えることができる。上記で論じられるように、ユーザが、異なるワイヤレスネットワークの上でＣＳＧを選択した場合に、アクセス端末は、ワイヤレスネットワーク選択の非自動モード（またはＣＳＧセル固有のモード）に切り換えることができる。例えば、識別されたワイヤレスネットワーク（例えば、訪問ネットワーク）が、現在登録されているワイヤレスネットワーク（例えば、ホームネットワーク）、または現在好ましいワイヤレスネットワーク（例えば、ホームネットワーク）とは異なる場合に、アクセス端末は、手動選択モードに切り換えることができる。この場合に選択モードを切り換えるとすぐに、アクセス端末は、「現在の」選択モード（ブロック３０２において説明される）として新しい選択モードを記録することはない。そうではなくて、以下で論じられるように、「現在の」選択モードレコードは、不変のままであり、その結果、アクセス端末は、ブロック３０４においてＣＳＧの選択に先立って使用されていたモードを後で決定することができるようになる。代替案として、アクセス端末は、「現在の」選択モードとしての新しい選択モードと、「最後の」選択モードとしての以前の現在の選択モードとを記録することができる。
【００４３】
ひとたびアクセス端末が、選択されたセルとの通信を正常に確立した後に、アクセス端末は、選択されたセルを経由して識別されたネットワークにおいて登録し（ブロック３１０）、そしてページ、データ、およびブロードキャスト情報を受信するためにセルの上でキャンプすることができる。さらに、複数のセルがＣＳＧを公示している場合に、アクセス端末は、ＣＳＧの異なるセルに（例えば、ＣＳＧサービスを提供する小売業者の異なるフロアに移動するとすぐに）切り換えることができる。しかしながら、ある時点において、アクセス端末は、ＣＳＧの任意のセルを選択することができない可能性がある（例えば、ユーザは、ＣＳＧサービスを提供した店を離れてしまっているかもしれない）。したがって、ブロック３１２によって表されるように、アクセス端末は、それが、もはやＣＳＧのセルの上にキャンプしていない（例えば、それが、ＣＳＧを公示するセルのうちのどの上にもキャンプしていない）ことを決定することができる。
【００４４】
ブロック３１４によって表されるように、アクセス端末は、ブロック３１２の決定の結果としてワイヤレスネットワーク選択の異なるモードに切り換えることができる。上記で述べられるように、その切換えは、アクセス端末が、ＣＳＧのどのセルも選択することができないという決定を前提とする可能性がある。さらに、いくつかの場合には、その切換は、アクセス端末が、識別されたワイヤレスネットワークの他のどのセルも選択することができないという決定を前提とする可能性がある（例えば、ワイヤレスネットワークは、アクセス端末が、ＣＳＧのセルにアクセスすることを可能にするだけである）。
【００４５】
上記で述べられるように、ＣＳＧを離れるとすぐに、アクセス端末は、ワイヤレスネットワーク選択の手動モードからブロック３０２において保持されるレコードによって指定される先行モード（例えば、自動モード）へと切り換えることができる。自動モードに戻るとすぐに、アクセス端末は、ＣＳＧの手動選択に先立ってアクセス端末がその上にあったワイヤレスネットワーク（例えば、ホームワイヤレスネットワーク）を再選択する可能性が高いであろう。
【００４６】
図３の動作は、様々なやり方でインプリメントされることができる。図４は、ＰＬＭＮ選択モード切換えを達成するために使用され得る実例の非アクセス層（ｎｏｎ−ａｃｃｅｓｓ  ｓｔｒａｔｕｍ：ＮＡＳ）およびアクセス層（ａｃｃｅｓｓ  ｓｔｒａｔｕｍ：ＡＳ）のプロシージャを示している。
【００４７】
ステップ１において、ユーザは、すべてのＰＬＭＮを通して使用可能なＣＳＧセルのリストを要求するために、アクセス端末においてＮＡＳをトリガするＣＳＧ手動選択を要求する。ここで、手動選択は、アクセス端末の許容ＣＳＧリスト（例えば、ホワイトリスト（ｗｈｉｔｅｌｉｓｔ））と任意のオペレータＣＳＧリストとの中と外との両方のＣＳＧセルに適用することができる。
【００４８】
ステップ２において、ＮＡＳ要求に応じて、ＡＳは、その能力に応じて、すべての無線周波数（ｒａｄｉｏ  ｆｒｅｑｕｅｎｃｙ：ＲＦ）チャネルをスキャンし、そしてユーザがすべてのＰＬＭＮを通してそこから選択するための使用可能なＣＳＧセルのリストを戻す。例えば、アクセス端末は、使用可能なＣＳＧ識別子（ＩＤ）を見出すために、その能力に応じてＵＴＲＡおよび／またはＥ−ＵＴＲＡの帯域をスキャンすることができる。
【００４９】
各キャリア上で、ＡＳは、最強のセルを（少なくとも）探索し、そのシステム情報を読み取り、そしてユーザがそこから選択するためにＮＡＳに対して、使用可能な場合には、それらのホームノードＢ（ＨｏｍｅＮｏｄｅＢ：ＨＮＢ）名と一緒に、登録されたＰＬＭＮに属する使用可能なＣＳＧ  ＩＤを報告することができる。使用可能なＣＳＧ  ＩＤについての探索は、ＮＡＳの要求に応じて停止されることができる。
【００５０】
ステップ３において、アクセス端末は、使用可能なすべてのＣＳＧと関連するＰＬＭＮとをユーザに対して表示する。アクセス端末はまた、使用可能な場合には、テキストベースのＨＮＢ名を示すことができる。使用可能なＣＳＧ  ＩＤは、例えば、以下の順序：１）許容ＣＳＧリストに含まれるＣＳＧ  ＩＤ、２）オペレータＣＳＧリストに含まれるＣＳＧ  ＩＤ、３）許容ＣＳＧリストまたはオペレータＣＳＧリストの中に含まれない他の任意のＣＳＧ  ＩＤ、で表示されることができる。
【００５１】
同じＰＬＭＮ上に同じＣＳＧ  ＩＤを有する複数のセルが存在するときには、そのＣＳＧ  ＩＤについての最強のセルのＨＮＢ名だけが、いくつかのインプリメンテーションにおいて表示される。アクセス端末は、ＣＳＧセルの信号強度やＣＳＧセルが現在のＰＬＭＮに属しているかどうかなど、他の情報を表示することもできる。例えば、アクセス端末は、それが、ＣＳＧセルの存在を検出していることを示すために信号強度バーを使用することができる。しかしながら、アクセス端末は、不適切なＲＦ状態に起因してそのセルを選択しないように決定することができる。アクセス端末は、一般に、選択のために使用可能なＣＳＧセルが存在しないＰＬＭＮを表示しないであろう。
【００５２】
ステップ４において、ＮＡＳは、ＡＳが、手動的に選択された（ＰＬＭＮ、ＣＳＧ）対の上でキャンプすることを要求する。
【００５３】
ステップ５において、ＡＳは、選択されたＣＳＧ  ＩＤに属する許容可能または適切なセルを探索することにより、そのＣＳＧについてのそのＰＬＭＮの中の最善のセルの上にキャンプするために必要とされる再選択プロシージャを実行する。
【００５４】
ステップ６において、ＡＳは、ＣＳＧ  ＩＤ、追跡エリアコード、ロケーションエリアコード、経路指定エリアコードなど、ＣＳＧセルの詳細を含めて、ＣＳＧセルの上にキャンプすることが成功したことを示す表示を戻す。
【００５５】
ステップ７において、ユーザが、それが現在キャンプされている同じＰＬＭＮ内のＣＳＧセルを選択し、そしてそのＣＳＧセルが、アクセス端末の許容ＣＳＧリストの中にないＣＳＧ  ＩＤを有する場合、アクセス端末は、ロケーション登録プロシージャ（例えば、ロケーションエリアアップデート、経路指定エリアアップデート、追跡エリアアップデート）を実行することができる。ロケーション登録プロシージャが成功する場合、アクセス端末は、許容ＣＳＧリストにそのＣＳＧを追加することができる。
【００５６】
ユーザが、登録されたＰＬＭＮ（ＲＰＬＭＮ）とは異なるＰＬＭＮの中のＣＳＧセルを選択する場合、そのときには以下が適用される：１）アクセス端末は、ＲＰＬＭＮの複製と、現在のＰＬＭＮ選択モードの複製とを記憶する、２）アクセス端末は、ＰＬＭＮ選択の手動モードに入る、３）アクセス端末は、ＣＳＧに対応するＰＬＭＮを選択し、そしてＰＬＭＮの中の選択されたＣＳＧセルの上で登録しようと試みる、４）登録が、失敗する場合、アクセス端末は、記憶された複製のＰＬＭＮ選択モードに戻り、そしてＲＰＬＭＮの記憶された複製値を使用し、そしてＰＬＭＮの上に登録することを含めて適切なＰＬＭＮの上でセルに対する再選択するプロシージャを開始する。
【００５７】
登録の試みが受け入れられる場合、セルがハイブリッドセルでない限り、あるいは識別情報が既にリストの中に存在していない限り、アクセス端末は、許容ＣＳＧリストにＣＳＧ識別情報を追加することができる。
【００５８】
ステップ８において、アクセス端末は、ＣＳＧの有効範囲を失い、あるいは他のＲＦ状態は、アクセス端末に、選択されたＣＳＧに属するセル（単数または複数）の有効範囲の外へ移動するようにさせる。
【００５９】
ステップ９において、ＡＳは、同じＣＳＧ  ＩＤを有するＣＳＧセルが、もはや再選択のために使用可能ではないことをＮＡＳに通知する。
【００６０】
ステップ１０において、ユーザが、ＲＰＬＭＮとは異なるＰＬＭＮの中のＣＳＧセルを選択し、そしてアクセス端末が、もはやＣＳＧの有効範囲の中にない場合、アクセス端末は、記憶された複製のＰＬＭＮ選択モードに戻り、そしてＲＰＬＭＮの記憶された複製値を使用し、そしてＰＬＭＮの上に登録することを含めて、適切なＰＬＭＮの上でセルに対する再選択するプロシージャを開始する。
【００６１】
次に図５を参照すると、いくつかのインプリメンテーションにおいては、アクセス端末は、それが、定義された期間内にＣＳＧに戻る場合に、ＣＳＧを自動的に再選択するように構成されていることができる。ブロック５０２および５０４によって表されるように、アクセス端末は、キャンプするための、ＣＳＧのセルを選択し、ワイヤレスネットワーク選択のモードを（例えば、手動モードに）切り換え、セルの上にキャンプし、そして次いである後の時点においてセルの上にキャンプすることを停止することができる。それ故に、ブロック５０２および５０４の動作は、例えば、ブロック２０２〜２１２および／またはブロック３０２〜３１２において上記で説明される動作に対応することもある。
【００６２】
ブロック５０６によって表されるように、アクセス端末が、もはやＣＳＧのセルの上にキャンプされていないという決定の結果として、アクセス端末は、ワイヤレスネットワーク選択の別のモードに（例えば、自動モードまたはマクロセル特有のモードに）切り換えることができる。したがって、これらの動作は、例えば、ブロック２１４および／または３１４において上記で説明される動作に対応することもある。
【００６３】
ブロック５０８によって表されるように、アクセス端末は、ＣＳＧを離れるとすぐに、他のサービスを獲得することもあり、あるいは獲得しないこともある。いくつかの場合には、ＣＳＧの任意のセルの上にキャンプすることを停止するとすぐに、そしてワイヤレスネットワーク選択のモードを切り換えるとすぐに、アクセス端末は、ブロック５０２において選択されるセルのワイヤレスネットワークとは異なるワイヤレスネットワーク（例えば、ホームワイヤレスネットワーク）を検出し、そして選択することになる。
【００６４】
ブロック５１０によって表されるように、アクセス端末は、それが、有効範囲を離れた後の定義された期間内にＣＳＧの有効範囲に戻っているかどうかを追跡することができる。例えば、タイマーは、ひとたびアクセス端末がＣＳＧの任意のセルの上でキャンプすることを停止していることが決定された後に、開始されることができる。次いで、アクセス端末は、それが、タイマーの有効期限が切れる前に（すなわち、定義された期間内に）ＣＳＧのセルのワイヤレス有効範囲に戻るかどうかを決定するために監視を開始することができる。
【００６５】
ブロック５１２によって表されるように、アクセス端末が、定義された期間内にＣＳＧのセルのワイヤレス有効範囲に戻っていることが決定される場合、アクセス端末は、通信を確立するための、ＣＳＧのそのセルを選択することができる。いくつかの態様においては、通信を確立するためのセルの選択は、例えば、セルにアクセスすること、および／またはセルの上にキャンプすること（例えば、セルからページ、データ、またはブロードキャスト情報のうちの１つまたは複数を受信するために）、を備えることができる。
【００６６】
セルのこの選択に関連して、アクセス端末は、セルのワイヤレスネットワークを再選択し、そしてワイヤレスネットワーク選択の異なるモードに切り換える（例えば、手動モードまたはＣＳＧセル特有のモードに戻る）こともできる。有利なことに、セルおよびワイヤレスネットワークの選択と、モード切換えとは、ユーザの介入なしに（例えば、ユーザが、手動選択を実行することを必要とせずに）自動的に実行されることができる。
【００６７】
次に図６を参照すると、いくつかのインプリメンテーションにおいては、アクセス端末は、先行ワイヤレスネットワークに自動的に戻るように構成されていることができる。ブロック６０２によって表されるように、ある時点において、アクセス端末は、特定のワイヤレスネットワークが選択されることを可能にする、ワイヤレスネットワーク選択のモードで動作することができる。例えば、アクセス端末は、ワイヤレスネットワーク選択の手動モードをサポートすることができ、それによってユーザは、アクセス端末によって検出され（例えば、そしてディスプレイ画面上に表示されるリストを経由してユーザに提示され）たワイヤレスネットワークの組からワイヤレスネットワークを選択することができる。
【００６８】
ブロック６０４によって表されるように、アクセス端末は、現在選択されているワイヤレスネットワークのレコードを保持する。このワイヤレスネットワークは、例えば、ホームワイヤレスネットワーク、訪問ワイヤレスネットワーク、または何らかの他のタイプのワイヤレスネットワークを備えることができる。
【００６９】
ブロック６０６および６０８によって表されるように、ある時点において、アクセス端末は、ＣＳＧを公示するセルを選択し、そして選択されたセルに関連するワイヤレスネットワーク（例えば、訪問ワイヤレスネットワーク）を識別することができる。したがって、ブロック６０６および６０８の動作は、例えば、ブロック３０４〜３０８において上記で説明される動作に対応することもある。
【００７０】
ブロック６１０によって表されるように、いくつかの場合には、アクセス端末は、識別されたワイヤレスネットワークにおいて登録することができる。例えば、識別されたワイヤレスネットワークが、ブロック６０４において論じられるワイヤレスネットワーク（「現在の」ワイヤレスネットワーク）とは異なる場合、識別されたワイヤレスネットワークが、現在の好ましいワイヤレスネットワークとは異なる場合、あるいはアクセス端末が、どのネットワークにも登録されていない場合に、登録は、実行されることができる。
【００７１】
ブロック６１２によって表されるように、ある時点において、アクセス端末は、ＣＳＧの有効範囲を離れる可能性がある。例えば、ブロック２１２および／または３１２において上記で論じられるように、アクセス端末が、もはやＣＳＧのどのセルの上にもキャンプしていないことが決定されることができる。
【００７２】
ブロック６１４によって表されるように、次いで、アクセス端末は、ブロック６０４において上記で説明されるように保持されるレコードによって識別されるワイヤレスネットワークに戻ることができる。例えば、ワイヤレスネットワーク選択の手動モードが、ブロック６０６においてセルを選択する直前に使用されたことを（例えば、ここにおいて論じられるように選択モードの保持されたレコードを参照することにより）決定するとすぐに、アクセス端末は、そのモードにある間にユーザによって手動的に選択されたワイヤレスネットワーク（例えば、ホームワイヤレスネットワーク）を選択することができる。有利なことに、ワイヤレスネットワークの選択は、ユーザの介入なしに（例えば、ユーザが、別の手動選択を実行することを必要とせずに）、自動的に実行されることができる。
【００７３】
図５において上記で説明される有効範囲再突入動作は、図６の動作に関連して使用されることもできる。例えば、アクセス端末が、ブロック６１２において有効範囲を離れた後の定義された期間内に、ＣＳＧの有効範囲に戻る場合、アクセス端末は、上記で論じられるようにＣＳＧのセルを自動的に選択することができる。
【００７４】
図７は、ここにおいて教示されるようなモード切換えとネットワーク選択とを実行するためにアクセス端末７００（例えば、アクセス端末１０２に対応する）などのノードに組み込まれ得るいくつかの実例のコンポーネントを示している。説明されたコンポーネントは、通信システムの中の他のノードに組み込まれていることもできる。例えば、システムの中の他のノードは、アクセス端末７００が、類似した機能を提供するために説明されるコンポーネントに類似したコンポーネントを含むことができる。与えられたノードは、説明されたコンポーネントのうちの１つまたは複数を含むことができる。例えば、アクセス端末は、アクセス端末が、複数の周波数上で動作し、かつ／または異なる技術を経由して通信することを可能にする複数のトランシーバコンポーネントを含むことができる。
【００７５】
図７に示されるように、アクセス端末７００は、他のノードと通信するためのトランシーバ７０２を含んでいる。トランシーバ７０２は、信号を（例えば、アクセスポイントへと）送信するためのトランスミッタ７０４と、信号を受信する（例えば、アクセスポイントからの信号をスキャンする）ためのレシーバ７０６と、を含む。
【００７６】
アクセス端末７００はまた、ここにおいて教示されるようなモード切換えおよびネットワーク選択の動作とに関連して使用され得る他のコンポーネントを含んでいる。例えば、アクセス端末７００は、他のノードとの通信を管理するための、そしてここにおいて教示されるような他の関連した機能を提供するための通信コントローラ７０８を含むことができる。いくつかの態様においては、通信コントローラは、メッセージを送信するために、そしてセルを選択することと、ＣＳＧのセルに関連するワイヤレスネットワークを識別することと、ネットワークに登録することと、アクセス端末がＣＳＧのセルの上にキャンプしているかどうかを決定することと、アクセス端末が、ＣＳＧのセルのワイヤレス有効範囲に（例えば、定義された期間内に）戻っているかどうかを決定することと、のために受信メッセージを処理する（例えば、ＣＳＧ識別子、ワイヤレスネットワーク識別子などを含むメッセージを受信する）ために使用されることができる。
【００７７】
さらに、アクセス端末７００は、モード切換えと、ネットワーク選択動作とを実行するための、そしてここにおいて教示されるような他の関連した機能を提供するためのネットワークセレクタ７１０（例えば、モードスイッチ１１４に対応する）を含むこともできる。例えば、ネットワークセレクタ７１０は、ワイヤレスネットワークの識別情報に基づいて、かつ／またはアクセス端末が、もはやＣＳＧのセルの上にキャンプされていないという決定に基づいて、モードを切り換え、ワイヤレスネットワーク選択の現在のモードのレコードを保持し、レコードによって識別されるモードに戻り、アクセス端末が、もはやＣＳＧのセルの上にキャンプされていないという決定に基づいて、ワイヤレスネットワークを選択し、限定ＣＳＧが、選択のために好ましいことを指定し、そしてアクセス端末が、ＣＳＧのセルのワイヤレス有効範囲を離れる場合に、保持されたレコードによって識別されるワイヤレスネットワークに戻ることができる。
【００７８】
アクセス端末７００は、セルを選択するための、そしてここにおいて教示されるような他の関連した機能を提供するためのセルセレクタ７１２（例えば、セレクタ１１２に対応する）を含むこともできる。例えば、セルセレクタは、ＣＳＧを公示するセルを選択し、そしてアクセス端末が、ＣＳＧの任意のセルの上にキャンプすることを停止した後の定義された期間内に、アクセス端末が、セルのワイヤレス有効範囲に入る場合に、ＣＳＧのセルを選択することができる。
【００７９】
アクセス端末７００はまた、ユーザとインターフェースするための入力デバイスおよび出力デバイスを含むこともできる。例えば、アクセスポイントは、ディスプレイデバイス７１４と、ユーザ入力デバイス７１６とを含むことができる。
【００８０】
ここにおける教示は、様々なやり方で異なるインプリメンテーションの中で実現されることができる。２つの実例のインプリメンテーションが、現在アクセス端末をサーブしているＰＬＭＮとは異なるＰＬＭＮの上にあるＣＳＧの手動選択との関連で以下で説明される。
【００８１】
第１のインプリメンテーションにおいては、上記で説明されるワイヤレスネットワーク選択の非自動モードは、動作のＣＳＧトリガモード（ＣＳＧ−ｔｒｉｇｇｅｒｅｄ  ｍｏｄｅ）と称される。いくつかの態様においては、動作のＣＳＧトリガモードは、動作の手動モードを備えることができ、ここで状態情報（例えば、先行の選択モードおよび／またはワイヤレスネットワークを示す）は、望ましいワイヤレスネットワーク選択動作を容易にするために保持される。例えば、ひとたびユーザが、異なるＰＬＭＮの上のＣＳＧを手動的に選択し、そしてアクセス端末が、このＰＬＭＮを選択した後には、アクセス端末は、ＣＳＧトリガモード（例えば、ＰＬＭＮ選択の手動モードの一形態）にあるように考えられることができる。
【００８２】
このモードにおいては、アクセス端末は、状態が、別の動作をトリガするまで、新しいＰＬＭＮの中にキャンプされたままである。例えば、アクセス層（ＡＳ）が、新しいＰＬＭＮの上で有効範囲を失うときに、選択は、いつものようにトリガされることができる。しかしながら、このトリガの時に、非アクセス層（ＮＡＳ）は、まるでＰＬＭＮ選択の以前のモードが自動であったかのように振る舞う。ほとんどの場合に、アクセス端末は、元のサーブするＰＬＭＮへと戻ることになるが、いずれにしてもそれは、ユーザの介入なしに新しいＰＬＭＮを選択することができる。
【００８３】
いくつかの場合には、手動ＣＳＧ選択は、特定のＡＳ動作に、選択されたＣＳＧセルの上でキャンプする要求の結果としてトリガされるようにさせることができる。例えば、これは、要求されたセルの上の優先的なキャンプすることをトリガすることができる。
【００８４】
ＡＳは、ここにおいて教示される選択動作に関連した状態情報を保持することができる。例えば、アクセス端末は、アクセス端末が、特有のサーブするＣＳＧの利益のためのＰＬＭＮ選択をトリガしたことを示すレコードを保持することができる。
【００８５】
ちょうど説明された例においては、ＰＬＭＮ選択についてのトリガは、ＣＳＧトリガプロシージャの中で選択されるＰＬＭＮからの有効範囲の喪失であった。しかしながら、他のトリガが、ＡＳの中で（例えば、ＣＳＧ環境に特有の様々なイベントに応じてＰＬＭＮ選択のトリガリングを刺激し、または禁止するために）使用されることができる。
【００８６】
一例として、ＡＳは、ターゲットＣＳＧセルを特別なものと考えることができ、そして次のセル再選択においてＰＬＭＮ選択をトリガすることができる。この動作フローは、セル再選択が、有効範囲の喪失ではなくて、トリガとして使用されることを例外として、上記で説明されるフローと全く同じとすることができる。
【００８７】
キャンパスＣＳＧ展開において有用な可能性があるこの修正のより洗練されたバージョンは、ＡＳが、同じＣＳＧに関連しないセルに対する再選択のすぐ後だけに、ＰＬＭＮ選択をトリガすることである。すなわち、ＡＳは、再選択イベントをフィルタにかけ、そしてユーザの選択したＣＳＧを離れることが強制されている場合に限り、（自動的な）ＰＬＭＮ選択をトリガする。
【００８８】
ユーザが、反復して、短い期間にわたってターゲットセル（またはＣＳＧ）を離れ、次いで戻る場合に、これらの修正は、ユーザ経験の問題を作り出す可能性がある。これは、無線状態またはユーザアクティビティ（例えば、ＣＳＧサービスを提供する店から外に駐車された車へと進み、そして戻ること）のいずれかのために起こり得る。そのような状況では、上記動作は、反復して起こる可能性があり、ユーザが、通常のマクロセル有効範囲上へと「ダンプ」され、そしてＣＳＧセルの有効範囲に戻った後に手動ＣＳＧ選択を反復するように強制される可能性があることを意味する。実際には、このシナリオは、ユーザにとっては、押し付けがましいこともある。さらに、ＰＬＭＮの間の相互作用に応じて、このシナリオは、サービスに対して混乱を起こし、反復された課金をもたらし、あるいは他の問題を提示することもある。それ故に、上記で論じられるように、ＰＬＭＮ選択状態がＣＳＧトリガに設定されるときに、ＮＡＳまたはＡＳのいずれかが、監督タイマーを保持することが望ましいこともあり、その結果、ＣＳＧからの物理的離脱（例えば、新しいＰＬＭＮ、セル再選択など−−ＰＬＭＮ選択を要求するためにＡＳをトリガするものは何であっても、それらからの有効範囲の喪失に由来する）は、タイマーの有効期限が切れるまでＰＬＭＮ選択を引き起こすことはない。
【００８９】
いくつかの場合には、アクセス端末は、監督タイマーが（ＡＳトリガリング状態の性質に応じて）実行されている間に、有効範囲の外にいる可能性がある。したがって、タイマーの長さは、展開シナリオに適切な値に調整されることができる。いくつかの場合には、タイマーは、オペレータにより構成可能とすることができる。例えば、タイマーは、セル毎に構成可能とすることができる。ここで、コンフィギュレーションは、システム情報の一部分として、ＣＳＧ（これは、その展開環境についてのほとんどを「知っている」可能性がある）上、または様々なＰＬＭＮの隣接したマクロセル（これは、ＣＳＧとの相互作用における良いユーザ経験を保証することに最も強い興味を持つ可能性がある）上のいずれかにおいて配信されることができる。しかしながら、他の場合には、タイマーは、仕様の中の固定値、ユーザコンフィギュレーションオプションであり、あるいは何らかの他のやり方で定義されることができる。
【００９０】
第２のインプリメンテーションにおいては、ユーザが、現在キャンプされるＰＬＭＮとは異なるＰＬＭＮの中でＣＳＧセルを手動的に選択する場合、アクセスポイントは、以下の動作を提供するように構成されていることができる。いくつかの態様においては、アクセス端末が、再選択プロシージャに基づいて手動的に選択されたＣＳＧセル上にキャンプすることを好むはずの期間を決定するために、準備がなされる。アクセス端末が、選択されたＰＬＭＮ上のＣＳＧの有効範囲の中にある場合、それは、１）ＣＳＧに対するその加入、または期間が、有効期限切れするまで、あるいは２）ユーザが、手動的に別のＣＳＧセルまたはＰＬＭＮを選択するまで、そこに留まることになる。アクセス端末が、選択されたＰＬＭＮ上のＣＳＧの有効範囲の外に移動する場合、それは、その以前の状態に戻ることになり、ここでは１）それが手動モードにあった場合、それは、このＰＬＭＮの前に選択された最後のＰＬＭＮに進むことになり、そして２）それが自動モードにあった場合、それは、通常の自動選択に戻ることになる。アクセス端末が、新しいＰＬＭＮ上のＣＳＧの有効範囲の中へ移動する場合、そのときには１）それが、期間が有効期限切れする前である場合、アクセス端末は、たとえそれがより高い優先順位を有する別のＰＬＭＮ上にあったとしても、そのＣＳＧセルを選択する、すなわちＰＬＭＮ選択モードを無視することになり、そして２）それが、タイマーが有効期限切れした後である場合、そのときにはＰＬＭＮ選択モードは、アクセス端末再選択に優先することになる。
【００９１】
上記で論じられるように、いくつかの態様においては、ここにおける教示は、大規模な有効範囲（ｍａｃｒｏ  ｓｃａｌｅ  ｃｏｖｅｒａｇｅ）（例えば、一般的にマクロセルネットワークまたはＷＡＮと称される、３Ｇネットワークなどの大面積セルラネットワーク）と、より小規模の有効範囲（例えば、一般的にＬＡＮと称される、住居ベースまたはビルディングベースのネットワーク環境）とを含む環境の中で使用されることができる。アクセス端末（ａｃｃｅｓｓ  ｔｅｒｍｉｎａｌ：ＡＴ）が、そのような環境を通して移動するときに、アクセス端末は、大規模な有効範囲を提供するアクセスポイントによってある種のロケーションにおいてサーブされることができるが、アクセス端末は、より小規模の有効範囲を提供するアクセスポイントによって他のロケーションにおいてサーブされることができる。いくつかの態様においては、より小さな有効範囲ノードは、増分の容量増大と、屋内有効範囲と、異なるサービス（例えば、より堅牢なユーザ経験のための）と、を提供するために使用されることもある。
【００９２】
比較的大きなエリア上で有効範囲を提供するノード（例えば、アクセスポイント）は、マクロノードと称されることができるが、比較的小さなエリア（例えば、住居）上で有効範囲を提供するノードは、フェムトノードと称されることができる。ここにおける教示は、他のタイプの有効範囲エリアに関連するノードに対しても適用可能とすることができることを理解すべきである。例えば、ピコノードは、マクロエリアよりも小さく、フェムトエリアよりも大きいエリア上で有効範囲（例えば、商用ビルディング内の有効範囲）を提供することができる。様々なアプリケーションにおいては、他の専門用語が、マクロノード、フェムトノード、または他のアクセスポイントタイプノードを言及するために使用されることができる。例えば、マクロノードは、アクセスノード、基地局、アクセスポイント、ｅＮｏｄｅＢ、マクロセルなどとして構成されており、または称されることができる。また、フェムトノードは、ホームノードＢ、ホームｅＮｏｄｅＢ、アクセスポイント基地局、フェムトセルなどとして構成されており、または称されることができる。いくつかのインプリメンテーションにおいては、ノードは、１つまたは複数のセル、またはセクタに関連づけられる（例えば、分割される）ことができる。マクロノード、フェムトノード、またはピコノードに関連するセルまたはセクタは、それぞれマクロセル、フェムトセル、またはピコセルと称されることができる。
【００９３】
図８は、いくつかのユーザをサポートするように構成されたワイヤレス通信システム８００を示しており、このシステムの中では、ここにおける教示が、インプリメントされることができる。システム８００は、各セルが対応するアクセスポイント８０４（例えば、アクセスポイント８０４Ａ〜８０４Ｇ）によってサービスされている、例えば、マクロセル８０２Ａ〜８０２Ｇなど、複数のセル８０２のための通信を提供する。図８に示されるように、アクセス端末８０６（例えば、アクセス端末８０６Ａ〜８０６Ｌ）は、長い間にシステム全体を通して様々なロケーションに分散されることができる。各アクセス端末８０６は、例えば、アクセス端末８０６がアクティブであるかどうかと、それが、ソフトハンドオフしているかどうかと、に応じて、与えられた瞬間に順方向リンク（ｆｏｒｗａｒｄ  ｌｉｎｋ：ＦＬ）および／または逆方向リンク（ｒｅｖｅｒｓｅ  ｌｉｎｋ：ＲＬ）の上で１つまたは複数のアクセスポイント８０４と通信することができる。ワイヤレス通信システム８００は、大きな地理的地域上でサービスを提供することができる。例えば、マクロセル８０２Ａ〜８０２Ｇは、近隣の少数のブロック、または田舎の環境における数マイルをカバーすることができる。
【００９４】
図９は、例示の通信システム９００を示しており、ここでは１つまたは複数のフェムトノードが、ネットワーク環境の内部に展開される。特に、システム９００は、比較的小規模のネットワーク環境の中に（例えば、１つまたは複数のユーザ住居９３０の中に）インストールされた複数のフェムトノード９１０（例えば、フェムトノード９１０Ａおよび９１０Ｂ）を含んでいる。各フェムトノード９１０は、ＤＳＬルータ、ケーブルモデム、ワイヤレスリンク、または他の接続性手段（図示されず）を経由して、広域ネットワーク９４０（例えば、インターネット）と、モバイルオペレータコアネットワーク９５０とに結合されることができる。以下で論じられるように、各フェムトノード９１０は、関連するアクセス端末９２０（例えば、アクセス端末９２０Ａ）と、随意に他の（例えば、ハイブリッドまたはエイリアンの）アクセス端末９２０（例えば、アクセス端末９２０Ｂ）とをサーブするように構成されていることができる。言い換えれば、フェムトノード９１０に対するアクセスは、制限される可能性があり、それによって与えられたアクセス端末９２０は、１組の指定された（例えば、ホーム）フェムトノード（単数または複数）９１０によってサーブされる可能性があるが、指定されない任意のフェムトノード９１０（例えば、近隣のフェムトノード９１０）によってサーブされない可能性がある。
【００９５】
図１０は、いくつかの追跡エリア１００２（あるいは経路指定エリアまたはロケーションエリア）が定義される有効範囲マップ１０００の一例を示しており、これらのおのおのは、いくつかの大規模な有効範囲エリア１００４を含んでいる。ここで、追跡エリア１００２Ａ、１００２Ｂ、および１００２Ｃに関連する有効範囲のエリアは、幅広線によって示され、そして大規模な有効範囲エリア１００４は、大きい方の六角形によって表される。追跡エリア１００２はまた、フェムトの有効範囲エリア１００６を含んでいる。この例においては、フェムトの有効範囲エリア１００６（例えば、フェムトの有効範囲エリア１００６Ｂおよび１００６Ｃ）のおのおのは、１つまたは複数の大規模な有効範囲エリア１００４（例えば、大規模な有効範囲１００４Ａおよび１００４Ｂ）の内部に示される。しかしながら、フェムトの有効範囲のエリア１００６の一部または全部は、大規模な有効範囲１００４の内部に横たわってはいない可能性があることを理解すべきである。実際に、多数のフェムト有効範囲エリア１００６（例えば、フェムト有効範囲エリア１００６Ａおよび１００６Ｄ）は、与えられた追跡エリア１００２または大規模有効範囲エリア１００４の内部で定義されることもある。また、１つまたは複数のピコの有効範囲エリア（図示されず）は、与えられた追跡エリア１００２または大規模な有効範囲エリア１００４の内部で定義されることもある。
【００９６】
再び図９を参照すると、フェムトノード９１０の所有者は、モバイルオペレータコアネットワーク９５０を通して提供される、例えば、３Ｇモバイルサービスなどのモバイルサービスに加入することができる。さらに、アクセス端末９２０は、大規模環境においても、そしてより小規模の（例えば、住居の）ネットワーク環境において共に動作することができる可能性がある。言い換えれば、アクセス端末９２０の現在のロケーションに応じて、アクセス端末９２０は、モバイルオペレータコアネットワーク９５０に関連するマクロセルアクセスポイント９６０によって、あるいは１組のフェムトノード９１０（例えば、対応するユーザ住居９３０の内部に存在するフェムトノード９１０Ａおよび９１０Ｂ）のうちの任意の１つによってサーブされることができる。例えば、加入者が、彼の家の外にいるときに、彼は、標準のマクロアクセスポイント（例えば、アクセスノード９６０）によってサーブされ、そして加入者が、家にいるときに、彼は、フェムトノード（例えば、ノード９１０Ａ）によってサーブされる。ここで、フェムトノード９１０は、レガシーアクセス端末９２０と後方互換性がある可能性がある。
【００９７】
フェムトノード９１０は、単一の周波数上に、あるいは代替案においては、複数の周波数上に展開されることができる。特定のコンフィギュレーションに応じて、単一の周波数、あるいは複数の周波数のうちの１つまたは複数は、マクロアクセスポイント（例えば、アクセスポイント９６０）によって使用される１つまたは複数の周波数とオーバーラップすることもある。
【００９８】
いくつかの態様においては、アクセス端末９２０は、そのような接続性が可能なときはいつでも、好ましいフェムトノード（例えば、アクセス端末９２０のホームフェムトノード）に接続するように構成されていることができる。例えば、アクセス端末９２０Ａが、ユーザの住居９３０の内部にあるときはいつでも、アクセス端末９２０Ａは、ホームフェムトノード９１０Ａまたは９１０Ｂとだけ通信することが、望ましい可能性がある。
【００９９】
いくつかの態様においては、アクセス端末９２０が、マクロセルラネットワーク９５０の内部で動作するが、その最も好ましいネットワークの上に存在していない（例えば、好ましいローミングリストの中で定義されるように）場合、アクセス端末９２０は、よりよいシステム再選択（ｂｅｔｔｅｒ  ｓｙｓｔｅｍ  ｒｅｓｅｌｅｃｔｉｏｎ：ＢＳＲ）を使用して、最も好ましいネットワーク（例えば、好ましいフェムトノード９１０）を探索し続けることができ、このＢＳＲは、よりよいシステムが現在使用可能であるかどうかを決定するための使用可能なシステムの定期的スキャンと、そのような好ましいシステムに関連する後続の努力とを必要とする可能性がある。獲得入力を用いて、アクセス端末９２０は、特定の帯域およびチャネルについての探索を制限することができる。例えば、１つまたは複数のフェムトチャネルが、定義されることができ、それによって地域の中のすべてのフェムトノード（またはすべての制限されたフェムトノード）は、フェムトチャネル（単数または複数）の上で動作する。最も好ましいシステムについての探索は、定期的に反復されることができる。好ましいフェムトノード９１０の発見のすぐ後に、アクセス端末９２０は、その有効範囲エリアの内部でキャンプするためのフェムトノード９１０を選択する。
【０１００】
フェムトノードは、いくつかの態様において制限されることもある。例えば、与えられたフェムトノードは、ある種のサービスをある種のアクセス端末に対して提供するだけのこともある。いわゆる制限された（または限定された）関連付けを有する展開においては、与えられたアクセス端末は、マクロセルモバイルネットワークと、定義された１組のフェムトノード（例えば、対応するユーザ住居９３０の内部に存在するフェムトノード９１０）とによってサーブされるだけのこともある。いくつかのインプリメンテーションにおいては、ノードは、少なくとも１つのノードについて、信号伝達、データアクセス、登録、ページング、またはサービスのうちの少なくとも１つを提供しないように制限されることもある。
【０１０１】
いくつかの態様においては、制限されたフェムトノード（これはまた、限定加入者グループホームノードＢと称されることもある）は、制限されプロビジョニングされた１組のアクセス端末に対してサービスを提供するフェムトノードである。この組は、必要に応じて一時的に、または恒久的に拡張されることができる。いくつかの態様においては、限定加入者グループは、ワイヤレスネットワーク（例えば、ＰＬＭＮ）の１つまたは複数のセルにアクセスすることが許可されるが、制限されたアクセスを有する、オペレータの加入者を識別する。いくつかの態様においては、限定加入者グループは、アクセス端末の共通アクセス制御リストを共有するアクセスポイント（例えば、フェムトノード）の組として定義されることもある。
【０１０２】
したがって、様々な関係が、与えられたフェムトノードと、与えられたアクセス端末との間に存在することができる。例えば、アクセス端末の観点から、オープンなフェムトノードは、制限された関連付けのないフェムトノード（例えば、フェムトノードは、任意のアクセス端末に対してアクセスを許可する）を意味することもある。制限されたフェムトノードは、何らかの方法で制限される（例えば、関連付けおよび／または登録について制限される）フェムトノードを意味することもある。ホームフェムトノードは、アクセス端末が、アクセスし、そしてその上で動作することが認可される（例えば、恒久的アクセスが、１つまたは複数のアクセス端末の定義された組について提供される）フェムトノードを意味することもある。ハイブリッド（またはゲスト）フェムトノードは、アクセス端末が、アクセスし、またはその上で動作することが一時的に認可されるフェムトノードを意味することもある。エイリアンフェムトノードは、アクセス端末が、おそらく緊急事態（例えば、９１１コール）を除いて、アクセスし、またはその上で動作することが認可されていないフェムトノードを意味することもある。
【０１０３】
制限されたフェムトノードの観点から、ホームアクセス端末は、制限されたフェムトノードにアクセスすることが認可されるアクセス端末（例えば、アクセス端末は、フェムトノードに対する恒久的なアクセスを有する）を意味することもある。ゲストアクセス端末は、制限されたフェムトノード（例えば、締め切り、使用時間、バイト、接続カウント、または何らかの他の判断基準（単数または複数）に基づいて制限される）に対する一時的なアクセスを有するアクセス端末を意味することもある。エイリアンアクセス端末は、例えば、９１１コールなどのおそらく緊急事態を除いて、制限されたフェムトノードにアクセスする許可を有していないアクセス端末（例えば、制限されたフェムトノードに登録するための証明書または許可を有していないアクセス端末）を意味することもある。
【０１０４】
便宜上、ここにおける開示は、フェムトノードとの関連で様々な機能を説明している。しかしながら、ピコノードは、より大きな有効範囲エリアについて同じ、または類似した機能を提供することができることを理解すべきである。例えば、ピコノードは、制限されることができ、ホームピコノードは、与えられたアクセス端末について定義されることができ、その他いろいろである。
【０１０５】
ここにおける教示は、複数のワイヤレスアクセス端末についての通信を同時にサポートするワイヤレス多元接続通信システムの中で使用されることができる。ここで、各端末は、順方向リンクおよび逆方向リンクの上の伝送を経由して１つまたは複数のアクセスポイントと通信することができる。順方向リンク（またはダウンリンク）は、アクセスポイントから端末への通信リンクを意味し、そして逆方向リンク（またはアップリンク）は、端末からアクセスポイントへの通信リンクを意味する。この通信リンクは、単一入力単一出力（ｓｉｎｇｌｅ−ｉｎ−ｓｉｎｇｌｅ−ｏｕｔ）システム、多入力多出力（ｍｕｌｔｉｐｌｅ−ｉｎ−ｍｕｌｔｉｐｌｅ−ｏｕｔ：ＭＩＭＯ）システム、または何らかの他のタイプのシステムを経由して確立されることができる。
【０１０６】
ＭＩＭＯシステムは、データ伝送のために複数の（ＮＴ個の）送信アンテナと、複数の（ＮＲ個の）受信アンテナと、を使用する。ＮＴ個の送信アンテナと、ＮＲ個の受信アンテナとによって形成されるＭＩＭＯチャネルは、ＮＳ個の独立チャネルへと分解されることができ、これらの独立チャネルは、空間チャネルとも称され、ここで、ＮＳ≦ｍｉｎ｛ＮＴ，ＮＲ｝である。ＮＳ個の独立チャネルのおのおのは、次元に対応する。複数の送信アンテナと受信アンテナとによって生成される追加の次元が、利用される場合、ＭＩＭＯシステムは、改善された性能（例えば、より高いスループットおよび／またはより高い信頼性）を提供することができる。
【０１０７】
ＭＩＭＯシステムは、時分割二重（ｔｉｍｅ  ｄｉｖｉｓｉｏｎ  ｄｕｐｌｅｘ：ＴＤＤ）と、周波数分割二重（ｆｒｅｑｕｅｎｃｙ  ｄｉｖｉｓｉｏｎ  ｄｕｐｌｅｘ：ＦＤＤ）とをサポートすることができる。ＴＤＤシステムにおいては、順方向リンク伝送と逆方向リンク伝送とは、同じ周波数領域上にあり、その結果、相反性原理は、逆方向リンクチャネルからの順方向リンクチャネルの推定を可能にするようになる。これは、複数のアンテナが、アクセスポイントにおいて使用可能であるときに、アクセスポイントが、順方向リンク上で送信ビーム形成利得（ｔｒａｎｓｍｉｔ  ｂｅａｍ−ｆｏｒｍｉｎｇ  ｇａｉｎ）を抽出することを可能にする。
【０１０８】
図１１は、実例のＭＩＭＯシステム１１００のワイヤレスデバイス１１１０（例えば、アクセスポイント）と、ワイヤレスデバイス１１５０（例えば、アクセス端末）とを示している。デバイス１１１０において、いくつかのデータストリームについてのトラフィックデータは、データソース１１１２から送信（ＴＸ）データプロセッサ１１１４へと供給される。次いで、各データストリームは、それぞれの送信アンテナ上で送信されることができる。
【０１０９】
ＴＸデータプロセッサ１１１４は、そのデータストリームが、符号化されたデータを供給するために選択される特定の符号化スキームに基づいて各データストリームについてのトラフィックデータをフォーマットし、符号化し、そしてインターリーブする。各データストリームについての符号化されたデータは、ＯＦＤＭ技法を使用してパイロットデータと多重化されることができる。パイロットデータは、一般的に、知られている方法で処理される、知られているデータパターンであり、そしてチャネル応答を推定するためにレシーバシステムにおいて使用されることができる。次いで、各データストリームについての多重化されたパイロットデータと、符号化されたデータとは、そのデータストリームが、変調シンボルを供給するために選択される特定の変調スキーム（例えば、ＢＰＳＫ、ＱＰＳＫ、Ｍ−ＰＳＫ、またはＭ−ＱＡＭ）に基づいて変調される（すなわち、シンボルマッピングされる）。各データストリームについてのデータレート、符号化、および変調は、プロセッサ１１３０によって実行される命令によって決定されることができる。データメモリ１１３２は、デバイス１１１０のプロセッサ１１３０または他のコンポーネントによって使用されるプログラムコードと、データと、他の情報とを記憶することができる。
【０１１０】
次いで、すべてのデータストリームについての変調シンボルは、ＴＸ  ＭＩＭＯプロセッサ１１２０へと供給され、このＴＸ  ＭＩＭＯプロセッサは、さらに、（例えば、ＯＦＤＭについての）変調シンボルを処理することができる。次いで、ＴＸ  ＭＩＭＯプロセッサ１１２０は、ＮＴ個の変調シンボルストリームをＮＴ個のトランシーバ（ＸＣＶＲ）１１２２Ａないし１１２２Ｔへと供給する。いくつかの態様においては、ＴＸ  ＭＩＭＯプロセッサ１１２０は、データストリームのシンボルに対して、そしてシンボルが送信されているアンテナに対して、ビーム形成重みを適用する。
【０１１１】
各トランシーバ１１２２は、１つまたは複数のアナログ信号を供給するためにそれぞれのシンボルストリームを受信し、そして処理し、そしてさらに、ＭＩＭＯチャネル上での伝送のために適切な被変調信号を供給するために、それらのアナログ信号を調整する（例えば、増幅し、フィルタにかけ、そしてアップコンバートする）。次いで、トランシーバ１１２２Ａないし１１２２ＴからのＮＴ個の被変調信号は、それぞれＮＴ個のアンテナ１１２４Ａないし１１２４Ｔから送信される。
【０１１２】
デバイス１１５０において、送信された被変調信号は、ＮＲ個のアンテナ１１５２Ａないし１１５２Ｒによって受信され、そして各アンテナ１１５２からの受信信号は、それぞれのトランシーバ（ＸＣＶＲ）１１５４Ａないし１１５４Ｒへと供給される。各トランシーバ１１５４は、それぞれの受信信号を調整し（例えば、フィルタにかけ、増幅し、そしてダウンコンバートし）、サンプルを供給するために調整された信号をデジタル化し、そしてさらに、対応する「受信」シンボルストリームを供給するためにサンプルを処理する。
【０１１３】
次いで、受信（ＲＸ）データプロセッサ１１６０は、ＮＴ個の「検出された」シンボルストリームを供給するために、特定のレシーバ処理技法に基づいてＮＲ個のトランシーバ１１５４からのＮＲ個の受信シンボルストリームを受信し、そして処理する。ＲＸデータプロセッサ１１６０は、データストリームについてのトラフィックデータを回復するために、検出された各シンボルストリームを復調し、デインターリーブし、そして復号する。ＲＸデータプロセッサ１１６０による処理は、デバイス１１１０においてＴＸ  ＭＩＭＯプロセッサ１１２０と、ＴＸデータプロセッサ１１１４とによって実行される処理と相補的である。
【０１１４】
プロセッサ１１７０は、どのプリコーディング行列（ｐｒｅ−ｃｏｄｉｎｇ  ｍａｔｒｉｘ）を使用すべきかを定期的に決定する（下記で論じられる）。プロセッサ１１７０は、行列インデックス部分と、ランク値部分とを備える逆方向リンクメッセージを定式化する。データメモリ１１７２は、デバイス１１５０のプロセッサ１１７０または他のコンポーネントによって使用されるプログラムコードと、データと、他の情報とを記憶することができる。
【０１１５】
逆方向リンクメッセージは、通信リンクおよび／または受信データストリームに関する様々なタイプの情報を備えることができる。次いで、逆方向リンクメッセージは、やはりデータソース１１３６からいくつかのデータストリームについてのトラフィックデータを受信するＴＸデータプロセッサ１１３８によって処理され、変調器１１８０によって変調され、トランシーバ１１５４Ａないし１１５４Ｒによって調整され、そしてデバイス１１１０へと送信されて戻されることができる。
【０１１６】
デバイス１１１０において、デバイス１１５０からの被変調信号は、デバイス１１５０によって送信される逆方向リンクメッセージを抽出するために、アンテナ１１２４によって受信され、トランシーバ１１２２によって調整され、復調器（ＤＥＭＯＤ）１１４０によって復調され、そしてＲＸデータプロセッサ１１４２によって処理される。次いで、プロセッサ１１３０は、ビーム形成重みを決定するためにどのプリコーディング行列を使用すべきかを決定し、次いで、抽出されたメッセージを処理する。
【０１１７】
図１１はまた、通信コンポーネントが、ここにおいて教示されるようなネットワーク制御動作を実行する１つまたは複数のコンポーネントを含み得ることを示している。例えば、ネットワーク制御コンポーネント１１９２は、ここにおいて教示されるようなネットワーク制御モードとワイヤレスネットワークとを選択するために、デバイス１１５０のプロセッサ１１７０および／または他のコンポーネントと協力することができる。各デバイス１１１０および１１５０では、２つ以上の説明されるコンポーネントの機能は、単一のコンポーネントによって提供され得ることを理解すべきである。例えば、単一の処理コンポーネントは、ネットワーク制御コンポーネント１１９２とプロセッサ１１７０との機能を提供することができる。
【０１１８】
ここにおける教示は、様々なタイプの通信システムおよび／またはシステムコンポーネントに組み込まれることができる。いくつかの態様においては、ここにおける教示は、使用可能なシステムリソースを共用することにより（例えば、１つまたは複数の帯域幅、送信パワー、符号化、インターリービングなどを指定することにより）複数のユーザとの通信をサポートすることができる多元接続システムの中で使用されることができる。例えば、ここにおける教示は、以下の技術：符号分割多元接続（Ｃｏｄｅ  Ｄｉｖｉｓｉｏｎ  Ｍｕｌｔｉｐｌｅ  Ａｃｃｅｓｓ：ＣＤＭＡ）システム、マルチキャリアＣＤＭＡ（Ｍｕｌｔｉｐｌｅ−Ｃａｒｒｉｅｒ  ＣＤＭＡ：ＭＣＣＤＭＡ）、広帯域ＣＤＭＡ（Ｗ−ＣＤＭＡ）、高速パケットアクセス（Ｈｉｇｈ−Ｓｐｅｅｄ  Ｐａｃｋｅｔ  Ａｃｃｅｓｓ：ＨＳＰＡ、ＨＳＰＡ＋）システム、時分割多元接続（Ｔｉｍｅ  Ｍｕｌｔｉｐｌｅ  Ａｃｃｅｓｓ：ＴＤＭＡ）システム、周波数分割多元接続（Ｆｒｅｑｕｅｎｃｙ  Ｄｉｖｉｓｉｏｎ  Ｍｕｌｔｉｐｌｅ  Ａｃｃｅｓｓ：ＦＤＭＡ）システム、単一キャリアＦＤＭＡ（Ｓｉｎｇｌｅ−Ｃａｒｒｉｅｒ  ＦＤＮＡ：ＳＣ−ＦＤＭＡ）システム、直交周波数分割多元接続（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：ＯＦＤＭＡ）システム、他の多元接続技法、のうちの任意の１つまたは組合せに対して適用されることができる。ここにおける教示を使用したワイヤレス通信システムは、ＩＳ−９５規格、ｃｄｍａ２０００規格、ＩＳ−８５６規格、Ｗ−ＣＤＭＡ規格、ＴＤＳＣＤＭＡ規格、他の規格など、１つまたは複数の規格をインプリメントするように設計されることができる。ＣＤＭＡネットワークは、ユニバーサル地上波無線アクセス（Ｕｎｉｖｅｒｓａｌ  Ｔｅｒｒｅｓｔｒｉａｌ  Ｒａｄｉｏ  Ａｃｃｅｓｓ：ＵＴＲＡ）、ｃｄｍａ２０００、何らかの他の技術などの無線技術をインプリメントすることができる。ＵＴＲＡは、Ｗ−ＣＤＭＡと、低チップレート（Ｌｏｗ  Ｃｈｉｐ  Ｒａｔｅ：ＬＣＲ）と、を含む。ｃｄｍａ２０００技術は、ＩＳ−２０００規格と、ＩＳ−９５規格と、ＩＳ−８５６規格と、をカバーする。ＴＤＭＡネットワークは、移動通信用グローバルシステム（Ｇｌｏｂａｌ  Ｓｙｓｔｅｍ  ｆｏｒ  Ｍｏｂｉｌｅ  Ｃｏｍｍｕｎｉｃａｔｉｏｎｓ：ＧＳＭ（登録商標））などの無線技術をインプリメントすることができる。ＯＦＤＭＡネットワークは、発展型ＵＴＲＡ（ｅｖｏｌｖｅｄ−ＵＴＲＡ：Ｅ−ＵＴＲＡ）、ＩＥＥＥ８０２．１１、ＩＥＥＥ８０２．１６、ＩＥＥＥ８０２．２０、フラッシュ−ＯＦＤＭ（Ｆｌａｓｈ−ＯＦＤＭ）などの無線技術をインプリメントすることができる。ＵＴＲＡと、Ｅ−ＵＴＲＡと、ＧＳＭとは、ユニバーサルモバイル電気通信システム（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ：ＵＭＴＳ）の一部分である。ここにおける教示は、３ＧＰＰロングタームエボリューション（Ｌｏｎｇ  Ｔｅｒｍ  Ｅｖｏｌｕｔｉｏｎ：ＬＴＥ）システムと、ウルトラモバイルブロードバンド（Ｕｌｔｒａ−Ｍｏｂｉｌｅ  Ｂｒｏａｄｂａｎｄ：ＵＭＢ）システムと、他のタイプのシステ���との中にインプリメントされることができる。ＬＴＥは、Ｅ−ＵＴＲＡを使用するＵＭＴＳのリリースである。ＵＴＲＡ、Ｅ−ＵＴＲＡ、ＧＳＭ、ＵＭＴＳ、およびＬＴＥは、「第３世代パートナーシッププロジェクト」（３ｒｄ  Ｇｅｎｅｒａｔｉｏｎ  Ｐａｒｔｎｅｒｓｈｉｐ  Ｐｒｏｊｅｃｔ：３ＧＰＰ）と名付けられる組織からの文書の中で説明されるが、ｃｄｍａ２０００は、「第３世代パートナーシッププロジェクト２」（３ｒｄ  Ｇｅｎｅｒａｔｉｏｎ  Ｐａｒｔｎｅｒｓｈｉｐ  Ｐｒｏｊｅｃｔ２：３ＧＰＰ２）と名付けられる組織からの文書の中で説明される。本開示のある種の態様は、３ＧＰＰの専門用語を使用して説明されることができるが、ここにおける教示は、３ＧＰＰ（例えば、Ｒｅｌ９９、Ｒｅｌ５、Ｒｅｌ６、Ｒｅｌ７）技術、ならびに３ＧＰＰ２（例えば、１ｘＲＴＴ、１ｘＥＶ−ＤＯ  ＲｅｌＯ、ＲｅｖＡ、ＲｅｖＢ）技術および他の技術に対して適用されることができることを理解すべきである。
【０１１９】
ここにおける教示は、様々な装置（例えば、ノード）に組み込まれる（例えば、内部にインプリメントされ、またはそれによって実行される）ことができる。いくつかの態様においては、ここにおける教示に従ってインプリメントされるノード（例えば、ワイヤレスノード）は、アクセスポイント、またはアクセス端末を備えることができる。
【０１２０】
例えば、アクセス端末は、ユーザ装置、加入者局、加入者ユニット、移動局、モバイル、モバイルノード、リモート局、リモート端末、ユーザ端末、ユーザエージェント、ユーザデバイス、または何らかの他の専門用語、を備え、としてインプリメントされ、あるいはとして知られていることもある。いくつかのインプリメンテーションにおいては、アクセス端末は、セルラ電話、コードレス電話、セッション開始プロトコル（ｓｅｓｓｉｏｎ  ｉｎｉｔｉａｔｉｏｎ  ｐｒｏｔｏｃｏｌ：ＳＩＰ）電話、ワイヤレスローカルループ（ｗｉｒｅｌｅｓｓ  ｌｏｃａｌ  ｌｏｏｐ：ＷＬＬ）局、個人情報端末（ｐｅｒｓｏｎａｌ  ｄｉｇｉｔａｌ  ａｓｓｉｓｔａｎｔ：ＰＤＡ）、ワイヤレス接続能力を有するハンドヘルドデバイス、またはワイヤレスモデムに接続された何らかの他の適切な処理デバイス、を備えることができる。したがって、ここにおいて教示される１つまたは複数の態様は、電話（セルラ電話またはスマートフォン）、コンピュータ（例えば、ラップトップ）、ポータブル通信デバイス、ポータブルコンピューティングデバイス（例えば、パーソナルデータアシスタント）、娯楽デバイス（例えば、音楽デバイス、ビデオデバイス、または衛星無線）、全地球測位システムデバイス、あるいはワイヤレス媒体を経由して通信するように構成された他の適切な任意のデバイスへと組み込まれることができる。
【０１２１】
アクセスポイントは、ノードＢ（ＮｏｄｅＢ）、ｅＮｏｄｅＢ、無線ネットワークコントローラ（ｒａｄｉｏ  ｎｅｔｗｏｒｋ  ｃｏｎｔｒｏｌｌｅｒ：ＲＮＣ）、基地局（ｂａｓｅ  ｓｔａｔｉｏｎ：ＢＳ）、無線基地局（ｒａｄｉｏ  ｂａｓｅ  ｓｔａｔｉｏｎ：ＲＢＳ）、基地局コントローラ（ｂａｓｅ  ｓｔａｔｉｏｎ  ｃｏｎｔｒｏｌｌｅｒ：ＢＳＣ）、基地トランシーバ局（ｂａｓｅ  ｔｒａｎｓｃｅｉｖｅｒ  ｓｔａｔｉｏｎ）、トランシーバ機能（ｔｒａｎｓｃｅｉｖｅｒ  ｆｕｎｃｔｉｏｎ：ＴＦ）、無線トランシーバ、無線ルータ、基本サービスセット（ｂａｓｉｃ  ｓｅｒｖｉｃｅ  ｓｅｔ：ＢＳＳ）、拡張サービスセット（ｅｘｔｅｎｄｅｄ  ｓｅｒｖｉｃｅ  ｓｅｔ：ＥＳＳ）、マクロセル、マクロノード、ホームｅＮＢ（ＨｅＮＢ）、フェムトセル、フェムトノード、ピコノード、または何らかの他の類似した専門用語、を備え、としてインプリメントされ、あるいはとして知られていることもある。
【０１２２】
いくつかの態様においては、ノード（例えば、アクセスポイント）は、通信システムのためのアクセスノードを備えることができる。そのようなアクセスノードは、例えば、ネットワークに対する有線またはワイヤレスの通信リンクを経由してネットワーク（例えば、インターネットやセルラネットワークなどの広域ネットワーク）のための、あるいはそのネットワークに対する接続性を提供することができる。したがって、アクセスノードは、別のノード（例えば、アクセス端末）が、ネットワークまたは何らかの他の機能にアクセスすることを可能にすることができる。さらに、ノードのうちの一方または両方は、ポータブルであり、あるいはいくつかの場合に、比較的非ポータブルである可能性があることを理解すべきである。
【０１２３】
また、ワイヤレスノードが、非ワイヤレスの方法で（例えば、有線接続を経由して）情報を送信すること、および／または受信することができる可能性があることを理解すべきである。したがって、ここにおいて論じられるレシーバおよびトランスミッタは、非ワイヤレス媒体を経由して通信すべき適切な通信インターフェースコンポーネント（例えば、電気または光のインターフェースコンポーネント）を含むことができる。
【０１２４】
ワイヤレスノードは、適切な任意のワイヤレス通信技術に基づいた、あるいはそうでなければそのワイヤレス通信技術をサポートする１つまたは複数のワイヤレス通信リンクを経由して通信することができる。例えば、いくつかの態様においては、ワイヤレスノードは、ネットワークに関連することができる。いくつかの態様においては、ネットワークは、ローカルエリアネットワーク、または広域ネットワークを備えることができる。ワイヤレスデバイスは、ここにおいて論じられるもの（例えば、ＣＤＭＡ、ＴＤＭＡ、ＯＦＤＭ、ＯＦＤＭＡ、ＷｉＭＡＸ、Ｗｉ−Ｆｉなど）など、様々なワイヤレス通信の技術、プロトコル、または規格のうちの１つまたは複数をサポートし、あるいはそうでなければ使用することができる。同様に、ワイヤレスノードは、様々な対応する変調または多重化のスキームのうちの１つまたは複数をサポートし、あるいはそうでなければ使用することができる。したがって、ワイヤレスノードは、上記の、または他のワイヤレス通信技術を使用して、１つまたは複数のワイヤレス通信リンクを経由して確立し、そして通信する適切なコンポーネント（例えば、エアインターフェース）を含むことができる。例えば、ワイヤレスノードは、ワイヤレス媒体上の通信を容易にする様々なコンポーネント（例えば、信号ジェネレータおよび信号プロセッサ）を含むことができる関連するトランスミッタコンポーネントとレシーバコンポーネントとを有するワイヤレストランシーバを備えることができる。
【０１２５】
ここにおいて説明される機能（例えば、添付図面のうちの１つまたは複数に関する）は、いくつかの態様においては、添付の特許請求の範囲の中の同様に指定された機能「手段」に対応する可能性がある。図１２、１３、１４、および１５を参照すると、装置１２００、１３００、１４００、および１５００は、一連の相互に関連した機能モジュールとして表される。ここで、セル選択モジュール１２０２、１３０８、または１４０２は、少なくともいくつかの態様においては、例えば、ここにおいて論じられるようなセルセレクタに対応する可能性がある。ワイヤレスネットワーク識別モジュール１２０４または１５０６は、少なくともいくつかの態様においては、例えば、ここにおいて論じられるようなネットワークセレクタに対応する可能性がある。ワイヤレスネットワーク選択モード切換モジュール１２０６または１３０４は、少なくともいくつかの態様においては、例えば、ここにおいて論じられるようなネットワークセレクタに対応する可能性がある。ワイヤレスネットワーク登録モジュール１２０８または１５０８は、少なくともいくつかの態様においては、例えば、ここにおいて論じられるような通信コントローラに対応する可能性がある。キャンピング決定モジュール１２１０、１３０２、または１４０４は、少なくともいくつかの態様においては、例えば、ここにおいて論じられるような通信コントローラに対応する可能性がある。レコード保持モジュール１２１２、１３０６、または１５０２は、少なくともいくつかの態様においては、例えば、ここにおいて論じられるようなネットワークセレクタに対応する可能性がある。ワイヤレス有効範囲決定モジュール１４０６は、少なくともいくつかの態様においては、例えば、ここにおいて論じられるような通信コントローラに対応する可能性がある。ワイヤレスネットワーク選択モジュール１４０８は、少なくともいくつかの態様においては、例えば、ここにおいて論じられるようなネットワークセレクタに対応する可能性がある。ＣＳＧ指定モジュール１４１０は、少なくともいくつかの態様においては、例えば、ここにおいて論じられるようなネットワークセレクタに対応する可能性がある。セル選択モジュール１５０４は、少なくともいくつかの態様においては、例えば、ここにおいて論じられるようなセルセレクタに対応する可能性がある。ワイヤレスネットワーク復帰モジュール１５１０は、少なくともいくつかの態様においては、例えば、ここにおいて論じられるようなネットワークセレクタに対応する可能性がある。
【０１２６】
図１２〜１５のモジュールの機能は、ここにおける教示と整合した様々なやり方でインプリメントされることができる。いくつかの態様においては、これらのモジュールの機能は、１つまたは複数の電気コンポーネントとしてインプリメントされることができる。いくつかの態様においては、これらのブロックの機能は、１つまたは複数のプロセッサコンポーネントを含む処理システムとしてインプリメントされることができる。いくつかの態様においては、これらのモジュールの機能は、例えば、１つまたは複数の集積回路（例えば、ＡＳＩＣ）の少なくとも一部分を使用してインプリメントされることができる。ここにおいて論じられるように、集積回路は、プロセッサ、ソフトウェア、他の関連したコンポーネント、またはそれらの何らかの組合せを含むことができる。これらのモジュールの機能はまた、ここにおいて教示されるように何らかの他の方法でインプリメントされることもできる。いくつかの態様においては、図１２〜１５の中の任意の破線ブロックのうちの１つまたは複数は、オプショナルなものである。
【０１２７】
ここにおいて、「第１の」、「第２の」などの指定を使用した要素に対するどのような言及も、一般に、これらの要素の量または順序を限定するものではないことを理解すべきである。もっと正確に言えば、これらの指定は、ここにおいては、２つ以上の要素、または要素の例の間で区別する便利な方法として使用されることができる。したがって、第１および第２の要素に対する言及は、ただ２つの要素が、そこで使用されることができること、あるいは第１の要素が、何らかの方法で第２の要素に先行する必要があることを意味してはいない。また、別の方法で述べられない限り、要素の組は、１つまたは複数の要素を備えることができる。さらに、本説明、または特許請求の範囲の中で使用される「Ａ、Ｂ、またはＣのうちの少なくとも１つ（ａｔ  ｌｅａｓｔ  ｏｎｅ  ｏｆ  Ａ，Ｂ，ｏｒ  Ｃ」という形式の述語は、「ＡまたはＢまたはＣ、あるいはこれらの要素の任意の組合せ」を意味する。
【０１２８】
当業者は、情報および信号が、様々な異なる技術および技法のうちのどれかを使用して表され得ることを理解するであろう。例えば、上記の説明全体を通して参照され得るデータ、命令、コマンド、情報、信号、ビット、シンボル、およびチップは、電圧、電流、電磁波、磁気の場または粒子、光学的な場または粒子、あるいはそれらの任意の組合せによって表されることができる。
【０１２９】
当業者は、さらに、ここにおいて開示される態様に関連して説明される様々な例示の論理ブロック、モジュール、プロセッサ、手段、回路、およびアルゴリズムステップのうちの任意のものが、電子ハードウェア（例えば、ソース符号化または何らかの他の技法を使用して設計され得るデジタルインプリメンテーション、アナログインプリメンテーション、またはそれら２つの組合せ）、命令を組み込んだ様々な形態のプログラムコードまたは設計コード（これは、ここにおいては、便宜上「ソフトウェア」または「ソフトウェアモジュール」と称されることができる）、あるいは両方の組合せとしてインプリメントされることができることを理解するであろう。ハードウェアとソフトウェアとのこの交換可能性を明確に示すために、様々な例示のコンポーネント、ブロック、モジュール、回路、およびステップが、それらの機能の観点で上記に一般的に説明されている。そのような機能が、ハードウェアとしてインプリメントされるか、またはソフトウェアとしてインプリメントされるかは、特定のアプリケーションと、全体的なシステムに課される設計制約条件とに依存する。当業者は、特定の各アプリケーションについて様々なやり方で、説明された機能をインプリメントすることができるが、そのようなインプリメンテーションの決定は、本開示の範囲からの逸脱を引き起こすものとしては解釈されるべきではない。
【０１３０】
ここにおいて開示される態様に関連して説明される様々な例示の論理ブロック、モジュール、および回路は、集積回路（ｉｎｔｅｇｒａｔｅｄ  ｃｉｒｃｕｉｔ：ＩＣ）、アクセス端末、またはアクセスポイントの内部にインプリメントされ、あるいはそれらによって実行されることができる。ＩＣは、ここにおいて説明される機能を実行するように設計された汎用プロセッサ、デジタル信号プロセッサ（ｄｉｇｉｔａｌ  ｓｉｇｎａｌ  ｐｒｏｃｅｓｓｏｒ：ＤＳＰ）、特定用途向け集積回路（ａｐｐｌｉｃａｔｉｏｎ  ｓｐｅｃｉｆｉｃ  ｉｎｔｅｇｒａｔｅｄ  ｃｉｒｃｕｉｔ：ＡＳＩＣ）、フィールドプログラマブルゲートアレイ（ｆｉｅｌｄ  ｐｒｏｇｒａｍｍａｂｌｅ  ｇａｔｅ  ａｒｒａｙ：ＦＰＧＡ）または他のプログラマブル論理デバイス、ディスクリートなゲートまたはトランジスタの論理、ディスクリートハードウェアコンポーネント（ｄｉｓｃｒｅｔｅ  ｈａｒｄｗａｒｅ  ｃｏｍｐｏｎｅｎｔｓ）、電気コンポーネント、光学コンポーネント、機械コンポーネント、あるいはそれらの任意の組合せ、を備えることができ、そしてＩＣの内部に、ＩＣの外部に、またはそれらの両方に存在するコードまたは命令を実行することができる。汎用プロセッサは、マイクロプロセッサであってもよいが、代替案においては、プロセッサは、従来の任意のプロセッサ、コントローラ、マイクロコントローラ、または状態機械であってもよい。プロセッサは、コンピューティングデバイスの組合せ、例えば、ＤＳＰとマイクロプロセッサとの組合せ、複数のマイクロプロセッサ、ＤＳＰコアと組み合わされた１つまたは複数のマイクロプロセッサ、あるいは他のそのような任意のコンフィギュレーション、としてインプリメントされることもできる。
【０１３１】
開示された任意のプロセスにおけるステップの特定の任意の順序または階層は、実例のアプローチの一例であることが、理解される。設計の好みに基づいて、プロセスにおけるステップの特定の順序または階層は、本開示の範囲内に留まりながら再構成され得ることが理解される。付随する方法は、実例の順序の様々なステップについての現在の要素を請求しており、そして提示される特定の順序または階層だけに限定されるようには意味されない。
【０１３２】
１つまたは複数の例示の実施形態においては、説明される機能は、ハードウェア、ソフトウェア、ファームウェア、またはそれらの任意の組合せの形でインプリメントされることができる。ソフトウェアの形でインプリメントされる場合、機能は、コンピュータ可読媒体上に１つまたは複数の命令またはコードとして記憶され、あるいは送信されることができる。コンピュータ可読媒体は、ある場所から別の場所へのコンピュータプログラムの転送を容易にする任意の媒体を含めて、コンピュータストレージ媒体と、通信媒体との両方を含んでいる。ストレージ媒体は、コンピュータによってアクセスされることができる使用可能な任意の媒体とすることができる。例として、限定するものではないが、そのようなコンピュータ可読媒体は、ＲＡＭ、ＲＯＭ、ＥＥＰＲＯＭ、ＣＤ−ＲＯＭまたは他の光ディスクストレージ、磁気ディスクストレージまたは他の磁気ストレージデバイス、あるいは命令もしくはデータ構造の形態で望ましいプログラムコードを搬送し、または記憶するために使用され得る、そしてコンピュータによってアクセスされ得る他の任意の媒体、を備えることができる。また、任意の接続も、コンピュータ可読媒体と適切に名づけられることができる。例えば、ソフトウェアが、同軸ケーブル、光ファイバケーブル、ツイストペア（ｔｗｉｓｔｅｄ  ｐａｉｒ）、デジタル加入者回線（ｄｉｇｉｔａｌ  ｓｕｂｓｃｒｉｂｅｒ  ｌｉｎｅ：ＤＳＬ）、または赤外線、無線、マイクロ波などのワイヤレス技術を使用して、ウェブサイト、サーバ、または他のリモートソースから送信される場合、そのときには同軸ケーブル、光ファイバケーブル、ツイストペア、ＤＳＬ、または赤外線、無線、マイクロ波などのワイヤレス技術は、媒体の定義の中に含まれる。ここにおいて使用されるようなディスク（Ｄｉｓｋ）およびディスク（ｄｉｓｃ）は、コンパクトディスク（ｃｏｍｐａｃｔ  ｄｉｓｃ：ＣＤ）、レーザーディスク（登録商標）、光ディスク、デジタル多用途ディスク（ｄｉｇｉｔａｌ  ｖｅｒｓａｔｉｌｅ  ｄｉｓｃ：ＤＶＤ）、フロッピー（登録商標）ディスク、およびブルーレイディスク（ｂｌｕ−ｒａｙ  ｄｉｓｃ）を含み、ここでディスク（ｄｉｓｃ）は通常、データを磁気的に再生するが、ディスク（ｄｉｓｃ）は、レーザを用いて光学的にデータを再生する。上記の組合せもまた、コンピュータ可読媒体の範囲内に含められるべきである。コンピュータ可読媒体は、適切な任意のコンピュータプログラムプロダクトの中にインプリメントされ得ることを理解すべきである。
【０１３３】
開示された態様の上記説明は、任意の当業者が、本開示を作り、または使用することを可能にするように提供される。これらの態様に対する様々な修正は、当業者には簡単に明らかになり、そしてここにおいて定義される包括的な原理は、本開示の範囲を逸脱することなく、他の態様にも適用されることができる。したがって、本開示は、ここにおいて示される態様だけに限定されるようには意図されず、ここにおいて開示される原理および新規特徴と整合した最も広い範囲を与えられるべきである。
【図１】
2014078972.tif 000003
【図２】
2014078972.tif 000004
【図３】
2014078972.tif 000005
【図４】
2014078972.tif 000006
【図５】
2014078972.tif 000007
【図６】
2014078972.tif 000008
【図７】
2014078972.tif 000009
【図８】
2014078972.tif 000010
【図９】
2014078972.tif 000011
【図１０】
2014078972.tif 000012
【図１１】
2014078972.tif 000013
【図１２】
2014078972.tif 000014
【図１３】
2014078972.tif 000015
【図１４】
2014078972.tif 000016
【図１５】
2014078972.tif 000017
【手続補正書】
【提出日】平成25年12月26日(2013.12.26)
【手続補正１】
【補正対象書類名】特許請求の範囲
【補正対象項目名】全文
【補正方法】変更
【補正の内容】
【特許請求の範囲】
【請求項１】
通信の方法であって、
アクセス端末によってキャンプするための、限定加入者グループのセルを選択することと、
前記アクセス端末が、もはや前記限定加入者グループの任意のセルの上でキャンプされていないことを決定することと、
前記アクセス端末が、もはや前記限定加入者グループの任意のセルの上でキャンプされていないという前記決定の後の定義された期間内に、前記アクセス端末が、前記セル、または前記別のセルのワイヤレスの有効範囲に戻ったことを決定することと、
前記アクセス端末が、前記ワイヤレスの有効範囲に戻ったという前記決定に基づいて、前記アクセス端末によってキャンプするための、前記限定加入者グループの前記セルまたは別のセルを選択することと
を備える方法。
【手続補正２】
【補正対象書類名】明細書
【補正対象項目名】０１３３
【補正方法】変更
【補正の内容】
【０１３３】
開示された態様の上記説明は、任意の当業者が、本開示を作り、または使用することを可能にするように提供される。これらの態様に対する様々な修正は、当業者には簡単に明らかになり、そしてここにおいて定義される包括的な原理は、本開示の範囲を逸脱することなく、他の態様にも適用されることができる。したがって、本開示は、ここにおいて示される態様だけに限定されるようには意図されず、ここにおいて開示される原理および新規特徴と整合した最も広い範囲を与えられるべきである。
以下に本件出願当初の特許請求の範囲に記載された発明を付記する。
［１］通信の方法であって、
アクセス端末によってキャンプするための、限定加入者グループのセルを選択することと、
前記アクセス端末が、もはや前記限定加入者グループの任意のセルの上でキャンプされていないことを決定することと、
前記アクセス端末が、もはや前記限定加入者グループの任意のセルの上でキャンプされていないという前記決定の後の定義された期間内に、前記アクセス端末が、前記セル、または前記別のセルのワイヤレスの有効範囲に戻ったことを決定することと、
前記アクセス端末が、前記ワイヤレスの有効範囲に戻ったという前記決定に基づいて、前記アクセス端末によってキャンプするための、前記限定加入者グループの前記セルまたは別のセルを選択することと
を備える方法。
［２］前記限定加入者グループは、第１のワイヤレスネットワークに関連づけられ、前記方法は、前記アクセス端末が、もはや前記限定加入者グループの任意のセルの上でキャンプされていないという前記決定に応じて第２のワイヤレスネットワークを選択すること、をさらに備える［１］に記載の方法。
［３］前記決定に基づいた、前記セルまたは前記別のセルの前記選択は、前記第１のワイヤレスネットワークを再選択することを備える、［２］に記載の方法。
［４］前記の第１および第２のワイヤレスネットワークは、第１および第２の公有地モバイルネットワークを備える、［２］に記載の方法。
［５］前記アクセス端末によってキャンプするための、前記限定加入者グループの前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、［１］に記載の方法。
［６］前記アクセス端末が、前記セルの上でキャンプされるときに、前記アクセス端末は、ワイヤレスネットワーク選択の第１のモードを使用し、
前記アクセス端末が、もはや前記限定加入者グループの任意のセルの上でキャンプされていない後に、前記アクセス端末は、ワイヤレスネットワーク選択の第２のモードに切り換え、そして
前記限定加入者グループの前記セルまたは前記別のセルの前記選択は、ワイヤレスネットワーク選択の前記第１のモードに戻ることを備える、［１］に記載の方法。
［７］ワイヤレスネットワーク選択の前記第２のモードは、公有地モバイルネットワーク選択の自動モードを備える、［６］に記載の方法。
［８］ワイヤレスネットワーク選択の前記第１のモードは、公有地モバイルネットワーク選択の手動モードを備える、［７］に記載の方法。
［９］前記限定加入者グループが、選択のために好ましいことを指定すること、をさらに備え、前記アクセス端末によってキャンプするための、前記限定加入者グループの前記セルの前記選択は、前記指定に基づいている、［１］に記載の方法。
［１０］通信のための装置であって、
アクセス端末によってキャンプするための、限定加入者グループのセルを選択するように構成されたセルセレクタと、
前記アクセス端末が、もはや前記限定加入者グループの任意のセルの上でキャンプされていないことを決定するように構成され、そしてさらに、前記アクセス端末が、もはや前記限定加入者グループの任意のセルの上にキャンプされていないという前記決定の後の定義された期間内に、前記アクセス端末が、前記セルまたは前記別のセルのワイヤレスの有効範囲に戻ったことを決定するように構成された通信コントローラと
を備え、前記セルセレクタは、さらに、前記アクセス端末が、前記ワイヤレスの有効範囲に戻ったという前記決定に基づいて、前記アクセス端末によってキャンプするための、前記限定加入者グループの前記セルまたは別のセルを選択するように構成されている、装置。
［１１］前記限定加入者グループは、第１のワイヤレスネットワークに関連づけられ、前記装置は、前記アクセス端末が、もはや前記限定加入者グループの任意のセルの上でキャンプされていないという前記決定に応じて第２のワイヤレスネットワークを選択するように構成されたネットワークセレクタ、をさらに備える［１０］に記載の装置。
［１２］前記決定に基づいた、前記セルまたは前記別のセルの前記選択は、前記第１のワイヤレスネットワークを再選択することを備える、［１１］に記載の装置。
［１３］前記アクセス端末によってキャンプするための、前記限定加入者グループの前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、［１０］に記載の装置。
［１４］前記アクセス端末が、前記セルの上でキャンプされるときに、前記アクセス端末は、ワイヤレスネットワーク選択の第１のモードを使用し、
前記アクセス端末が、もはや前記限定加入者グループの任意のセルの上でキャンプされていない後に、前記アクセス端末は、ワイヤレスネットワーク選択の第２のモードに切り換え、そして
前記限定加入者グループの前記セルまたは前記別のセルの前記選択は、ワイヤレスネットワーク選択の前記第１のモードに戻ることを備える、［１０］に記載の装置。
［１５］通信のための装置であって、
アクセス端末によってキャンプするための、限定加入者グループのセルを選択するための手段と、
前記アクセス端末が、もはや前記限定加入者グループの任意のセルの上でキャンプされていないことを決定するための手段と、
前記アクセス端末が、もはや前記限定加入者グループの任意のセルの上でキャンプされていないという前記決定の後の定義された期間内に、前記アクセス端末が、前記セル、または前記別のセルのワイヤレス有効範囲に戻ったことを決定するための手段と、
前記アクセス端末が、前記ワイヤレス有効範囲に戻ったという前記決定に基づいて、前記アクセス端末によってキャンプするための、前記限定加入者グループの前記セルまたは別のセルを選択するための手段と
を備える装置。
［１６］前記限定加入者グループは、第１のワイヤレスネットワークに関連づけられ、前記装置は、前記アクセス端末が、もはや前記限定加入者グループの任意のセルの上でキャンプされていないという前記決定に応じて第２のワイヤレスネットワークを選択するための手段をさらに備える［１５］に記載の装置。
［１７］前記決定に基づいた、前記セルまたは前記別のセルの前記選択は、前記第１のワイヤレスネットワークを再選択することを備える、［１６］に記載の装置。
［１８］前記アクセス端末によってキャンプするための、前記限定加入者グループの前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、［１５］に記載の装置。
［１９］前記アクセス端末が、前記セルの上でキャンプされるときに、前記アクセス端末は、ワイヤレスネットワーク選択の第１のモードを使用し、
前記アクセス端末が、もはや前記限定加入者グループの任意のセルの上でキャンプされていない後に、前記アクセス端末は、ワイヤレスネットワーク選択の第２のモードに切り換え、そして
前記限定加入者グループの前記セルまたは前記別のセルの前記選択は、ワイヤレスネットワーク選択の前記第１のモードに戻ることを備える、［１５］に記載の装置。
［２０］コンピュータに、
アクセス端末によってキャンプするための、限定加入者グループのセルを選択するように、
前記アクセス端末が、もはや前記限定加入者グループの任意のセルの上でキャンプされていないことを決定するように、
前記アクセス端末が、もはや前記限定加入者グループの任意のセルの上でキャンプされていないという前記決定の後の定義された期間内に、前記アクセス端末が、前記セル、または前記別のセルのワイヤレスの有効範囲に戻ったことを決定するように、そして
前記アクセス端末が、前記ワイヤレスの有効範囲に戻ったという前記決定に基づいて、前記アクセス端末によってキャンプするための、前記限定加入者グループの前記セルまたは別のセルを選択するように、
させるためのコードを備えるコンピュータ可読媒体、
を備えるコンピュータプログラム製品。
［２１］前記限定加入者グループは、第１のワイヤレスネットワークに関連づけられ、前記コンピュータ可読媒体は、前記コンピュータに、前記アクセス端末が、もはや前記限定加入者グループの任意のセルの上でキャンプされていないという前記決定に応じて第２のワイヤレスネットワークを選択するようにさせるためのコード、をさらに備える、［２０］に記載のコンピュータプログラム製品。
［２２］前記決定に基づいた、前記セルまたは前記別のセルの前記選択は、前記第１のワイヤレスネットワークを再選択することを備える、［２１］に記載のコンピュータプログラム製品。
［２３］前記アクセス端末によってキャンプするための、前記限定加入者グループの前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと、
を備える、［２０］に記載のコンピュータプログラム製品。
［２４］前記アクセス端末が、前記セルの上でキャンプされるときに、前記アクセス端末は、ワイヤレスネットワーク選択の第１のモードを使用し、
前記アクセス端末が、もはや前記限定加入者グループの任意のセルの上でキャンプされていない後に、前記アクセス端末は、ワイヤレスネットワーク選択の第２のモードに切り換え、そして
前記限定加入者グループの前記セルまたは前記別のセルの前記選択は、ワイヤレスネットワーク選択の前記第１のモードに戻ることを備える、［２０］に記載のコンピュータプログラム製品。
［２５］通信の方法であって、
現在のワイヤレスネットワークのレコードを保持することと、
限定加入者グループを公示するセルを選択することと、
前記選択されたセルに関連するワイヤレスネットワークを識別することと、
前記識別されたワイヤレスネットワークにおいて登録することと、
前記選択された限定加入者グループの前記セルまたは別のセルのワイヤレス有効範囲を離れるとすぐに前記レコードによって識別される前記ワイヤレスネットワークに戻ることと
を備える方法。
［２６］前記登録は、前記識別されたワイヤレスネットワークが、前記現在のワイヤレスネットワークとは異なるという決定の結果として実行される、［２５］に記載の方法。
［２７］前記登録は、前記識別されたワイヤレスネットワークが、現在好ましいワイヤレスネットワークとは異なるという決定の結果として実行される、［２５］に記載の方法。
［２８］前記識別されたワイヤレスネットワークは、公有地モバイルネットワークを備える、［２５］に記載の方法。
［２９］前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、［２５］に記載の方法。
［３０］前記レコードによって識別される前記ワイヤレスネットワークへの前記復帰は、前記セルが選択されたときに、手動公有地モバイルネットワーク選択状態が、使用中であったかどうかを前提とする、［２５］に記載の方法。
［３１］前記セルまたは別のセルのワイヤレス有効範囲が、前記アクセス端末が前記ワイヤレス有効範囲を離れた後の定義された期間内に、入られる場合に、通信を確立するための、前記限定加入者グループの前記セルまたは前記別のセルを選択すること、をさらに備える［２５］に記載の方法。
［３２］前記現在のワイヤレスネットワークは、ホームワイヤレスネットワークを備え、そして
前記識別されたワイヤレスネットワークは、訪問ワイヤレスネットワークを備える、［２５］に記載の方法。
［３３］通信のための装置であって、
現在のワイヤレスネットワークのレコードを保持するように構成されたネットワークセレクタと、
限定加入者グループを公示するセルを選択するように構成されたセルセレクタと、
前記選択されたセルに関連するワイヤレスネットワークを識別するように構成され、そしてさらに前記識別されたワイヤレスネットワークにおいて登録するように構成された通信コントローラと
を備え、前記ネットワークセレクタは、さらに、前記選択された限定加入者グループの前記セルまたは別のセルのワイヤレス有効範囲を離れるとすぐに、前記レコードによって識別される前記ワイヤレスネットワークに戻るように構成されている、装置。
［３４］前記登録は、前記識別されたワイヤレスネットワークが、前記現在のワイヤレスネットワークとは異なるという決定の結果として実行される、［３３］に記載の装置。
［３５］前記識別されたワイヤレスネットワークは、公有地モバイルネットワークを備える、［３３］に記載の装置。
［３６］前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、［３３］に記載の装置。
［３７］前記レコードによって識別される前記ワイヤレスネットワークへの前記復帰は、前記セルが選択されたときに、手動公有地モバイルネットワーク選択状態が、使用中であったかどうかを前提とする、［３３］に記載の装置。
［３８］通信のための装置であって、
現在のワイヤレスネットワークのレコードを保持するための手段と、
限定加入者グループを公示するセルを選択するための手段と、
前記選択されたセルに関連するワイヤレスネットワークを識別するための手段と、
前記識別されたワイヤレスネットワークにおいて登録するための手段と、
前記選択された限定加入者グループの前記セルまたは別のセルのワイヤレス有効範囲を離れるとすぐに前記レコードによって識別される前記ワイヤレスネットワークに戻るための手段と
を備える装置。
［３９］前記登録は、前記識別されたワイヤレスネットワークが、前記現在のワイヤレスネットワークとは異なるという決定の結果として実行される、［３８］に記載の装置。
［４０］前記識別されたワイヤレスネットワークは、公有地モバイルネットワークを備える、［３８］に記載の装置。
［４１］前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、［３８］に記載の装置。
［４２］前記レコードによって識別される前記ワイヤレスネットワークへの前記復帰は、前記セルが選択されたときに、手動公有地モバイルネットワーク選択状態が、使用中であったかどうかを前提とする、［３８］に記載の装置。
［４３］コンピュータに、
現在のワイヤレスネットワークのレコードを保持するように、
限定加入者グループを公示するセルを選択するように、
前記選択されたセルに関連するワイヤレスネットワークを識別するように、
前記識別されたワイヤレスネットワークにおいて登録するように、そして
前記選択された限定加入者グループの前記セルまたは別のセルのワイヤレス有効範囲を離れるとすぐに前記レコードによって識別される前記ワイヤレスネットワークに戻るように、
させるためのコードを備えるコンピュータ可読媒体
を備えるコンピュータプログラムプロダクト。
［４４］前記登録は、前記識別されたワイヤレスネットワークが、前記現在のワイヤレスネットワークとは異なるという決定の結果として実行される、［４３］に記載のコンピュータプログラムプロダクト。
［４５］前記識別されたワイヤレスネットワークは、公有地モバイルネットワークを備える、［４３］に記載のコンピュータプログラムプロダクト。
［４６］前記セルの前記選択は、
少なくとも１つの限定加入者グループを公示する使用可能なセルをスキャンすることと、
少なくとも１つの限定加入者グループを公示する前記使用可能なセルに対応する少なくとも１つの識別子を備えるリストを表示することと、
ユーザ入力デバイスからの指示に基づいて前記使用可能なセルのうちの１つを選択することと
を備える、［４３］に記載のコンピュータプログラムプロダクト。
［４７］前記レコードによって識別される前記ワイヤレスネットワークへの前記復帰は、前記セルが選択されたときに、手動公有地モバイルネットワーク選択状態が、使用中であったかどうかを前提とする、［４３］に記載のコンピュータプログラムプロダクト。
【外国語明細書】
2014078972000001.pdf